(57)【要約】【課題】  移動体端末の移動に応じマルチキャストグループを迅速に変更することができる伝送システム、伝送装置、及び伝送方法を提供する。【解決手段】  伝送システムは、光端局装置と複数の光終端装置を有し、各光終端装置は、光端局装置からフレームを受信する第１受信部と、移動体端末と通信する通信装置にフレームを送信する第１送信部と、第１受信部から第１送信部にフレームを転送する転送処理部とを有し、光端局装置は、各光終端装置に同一フレームを送信する第２送信部と、通信装置の通信先の移動体端末の情報に基づき、各光終端装置において移動体端末を宛先とするフレームが第１受信部から第１送信部に転送されるように転送処理部を設定する設定処理部とを有し、設定処理部は、通信装置からの要求に応じ、２以上の光終端装置において、共通の移動体端末を宛先とするフレームが転送されるように転送処理部を設定する。【選択図】図８
2019029953.tif 000002
【特許請求の範囲】
【請求項１】
光端局装置と、前記光端局装置に接続された伝送路の複数の分岐先にそれぞれ接続される複数の光終端装置とを有し、
前記複数の光終端装置は、それぞれ、
前記伝送路を介し前記光端局装置からフレームを受信する第１受信部と、
１以上の移動体端末と通信する通信装置にフレームを送信する第１送信部と、
前記第１受信部から前記第１送信部にフレームを転送する転送処理部とを有し、
前記光端局装置は、
前記複数の光終端装置に同一のフレームをそれぞれ送信する第２送信部と、
前記通信装置の通信先の前記１以上の移動体端末を示す端末情報に基づき、前記複数の光終端装置の各々において前記１以上の移動体端末を宛先とするフレームが前記第１受信部から前記第１送信部に転送されるように前記転送処理部を設定する設定処理部とを有し、
前記設定処理部は、前記通信装置からの要求に応じ、前記複数の光終端装置のうち、２以上の光終端装置において、共通の前記１以上の移動体端末を宛先とするフレームが前記第１受信部から前記第１送信部に転送されるように前記転送処理部を設定することを特徴とする伝送システム。
【請求項２】
前記第２送信部は、前記複数の光終端装置の各々との間の共通の論理回線の識別子をフレームに付与し、該フレームを前記複数の光終端装置にそれぞれ送信し、
前記第１受信部は、前記光端局装置から受信したフレームから前記識別子を削除することを特徴とする請求項１に記載の伝送システム。
【請求項３】
前記複数の光終端装置は、それぞれ、前記通信装置から受信した前記端末情報を含むフレームを、前記伝送路を介し前記光端局装置に送信し、
前記光端局装置は、前記複数の光終端装置からフレームをそれぞれ受信する第２受信部を有し、
前記設定処理部は、前記第２受信部が受信したフレームに含まれる前記端末情報に基づき前記転送処理部を設定することを特徴とする請求項１または２に記載の伝送システム。
【請求項４】
前記複数の光終端装置は、それぞれ、前記通信装置からの前記要求を含むフレームを、前記伝送路を介し前記光端局装置に送信し、
前記設定処理部は、前記第２受信部が受信したフレームから前記要求を取得することを特徴とする請求項３に記載の伝送システム。
【請求項５】
前記光端局装置は、
端末管理テーブルを記憶する記憶部と、
前記端末情報に基づき前記複数の光終端装置の各々と前記１以上の移動体端末の対応関係を前記端末管理テーブルに登録する登録処理部と、
前記端末管理テーブルと、前記要求に示される移動体端末とに基づいて前記２以上の光終端装置を決定する決定部とを有することを特徴とする請求項１乃至４の何れかに記載の伝送システム。
【請求項６】
光端局装置と、前記光端局装置に接続された伝送路の複数の分岐先にそれぞれ接続される複数の光終端装置とを有し、
前記複数の光終端装置は、それぞれ、
前記光端局装置との間の論理回線の識別子が付与されたフレームを、前記伝送路を介し受信する受信部と、
前記受信部が受信したフレームを、１以上の移動体端末と通信する通信装置に送信する第３送信部とを有し、
前記光端局装置は、
前記複数の光終端装置のうち、フレームの宛先の前記１以上の移動体端末に応じた光終端装置との間の論理回線の識別子をフレームに付与し、該フレームを前記複数の光終端装置にそれぞれ送信する第４送信部と、
前記複数の光終端装置のうち、２以上の光終端装置が属するグループ、及び前記グループ内の共通の論理回線の識別子の対応関係が登録されたグループ管理テーブルを記憶する記憶部と、
前記通信装置からの要求に応じ、前記複数の光終端装置のうち、該要求元の前記通信装置に応じた前記グループに対応する前記共通の論理回線の識別子を前記グループ管理テーブルから検索する検索部とを有し、
前記第４送信部は、前記グループ内に共通の前記１以上の移動体端末を宛先とするフレームに、前記検索部が検索した前記共通の論理回線の識別子を付与し、該フレームを前記複数の光終端装置にそれぞれ送信することを特徴とする伝送システム。
【請求項７】
伝送路の複数の分岐先に複数の光終端装置がそれぞれ接続される伝送装置において、
前記複数の光終端装置は、それぞれ、
前記伝送路を介し前記伝送装置からフレームを受信する受信部と、
１以上の移動体端末と通信する通信装置にフレームを送信する第１送信部と、
前記受信部から前記第１送信部にフレームを転送する転送処理部とを有し、
前記複数の光終端装置に同一のフレームをそれぞれ送信する第２送信部と、
前記通信装置の通信先の前記１以上の移動体端末を示す端末情報に基づき、前記複数の光終端装置の各々において前記１以上の移動体端末を宛先とするフレームが前記受信部から前記第１送信部に転送されるように前記転送処理部を設定する設定処理部とを有し、
前記設定処理部は、前記通信装置からの要求に応じ、前記複数の光終端装置のうち、２以上の光終端装置において、共通の前記１以上の移動体端末を宛先とするフレームが前記受信部から前記第１送信部に転送されるように前記転送処理部を設定することを特徴とする伝送装置。
【請求項８】
伝送路の複数の分岐先に複数の光終端装置がそれぞれ接続される伝送装置において、
前記複数の光終端装置は、それぞれ、前記伝送装置との間の論理回線の識別子が付与されたフレームを、前記伝送路を介し受信して、１以上の移動体端末と通信する通信装置に送信し、
前記複数の光終端装置のうち、フレームの宛先の前記１以上の移動体端末に応じた光終端装置との間の論理回線の識別子をフレームに付与し、該フレームを前記複数の光終端装置にそれぞれ送信する第４送信部と、
前記複数の光終端装置のうち、２以上の光終端装置が属するグループ、及び前記グループ内の共通の論理回線の識別子の対応関係が登録されたグループ管理テーブルを記憶する記憶部と、
前記通信装置からの要求に応じ、前記複数の光終端装置のうち、該要求元の前記通信装置に応じた前記グループに対応する前記共通の論理回線の識別子を前記グループ管理テーブルから検索する検索部とを有し、
前記第４送信部は、前記グループ内に共通の前記１以上の移動体端末を宛先とするフレームに、前記検索部が検索した前記共通の論理回線の識別子を付与し、該フレームを前記複数の光終端装置にそれぞれ送信することを特徴とする伝送装置。
【請求項９】
光端局装置と、前記光端局装置の伝送路の複数の分岐先にそれぞれ接続される複数の光終端装置との間でフレームを伝送する伝送方法において、
前記複数の光終端装置は、それぞれ、
前記伝送路を介し前記光端局装置からフレームを受信する受信部と、
１以上の移動体端末と通信する通信装置にフレームを送信する第１送信部と、
前記受信部から前記第１送信部にフレームを転送する転送処理部とを有し、
前記光端局装置は、
前記複数の光終端装置に同一のフレームをそれぞれ送信し、
前記通信装置の通信先の前記１以上の移動体端末を示す端末情報に基づき、前記複数の光終端装置の各々において前記１以上の移動体端末を宛先とするフレームが前記受信部から前記第１送信部に転送されるように前記転送処理部を設定し、
前記通信装置からの要求に応じ、前記複数の光終端装置のうち、２以上の光終端装置において、共通の前記１以上の移動体端末を宛先とするフレームが前記受信部から前記第１送信部に転送されるように前記転送処理部を設定することを特徴とする伝送方法。
【請求項１０】
光端局装置と、前記光端局装置の伝送路の複数の分岐先にそれぞれ接続される複数の光終端装置との間でフレームを伝送する伝送方法において、
前記複数の光終端装置は、それぞれ、前記光端局装置との間の論理回線の識別子が付与されたフレームを、前記伝送路を介し受信して、１以上の移動体端末と通信する通信装置に送信し、
前記光端局装置は、
前記複数の光終端装置のうち、フレームの宛先の前記１以上の移動体端末に応じた光終端装置との間の論理回線の識別子をフレームに付与し、該フレームを前記複数の光終端装置にそれぞれ送信し、
前記通信装置からの要求に応じ、前記複数の光終端装置のうち、２以上の光終端装置が属するグループ、及び前記グループ内の共通の論理回線の識別子の対応関係が登録されたグループ管理テーブルから、前記複数の光終端装置のうち、該要求元の前記通信装置に応じた前記グループに対応する前記共通の論理回線の識別子を検索し、
前記グループ内に共通の前記１以上の移動体端末を宛先とするフレームに、前記検索した前記共通の論理回線の識別子を付与し、
該フレームを前記複数の光終端装置にそれぞれ送信することを特徴とする伝送方法。
【発明の詳細な説明】
【技術分野】
【０００１】
本件は、伝送システム、伝送装置、及び伝送方法に関する。
【背景技術】
【０００２】
スマートフォンなどの移動体端末の普及に伴って、移動体端末を無線通信ネットワークに接続する基地局が増加している。
【０００３】
多数の基地局と上位側の収容局を結ぶモバイルバックホールネットワークとして、光ファイバの設置コストが低いＰＯＮ（Passive Optical Network）（例えば特許文献１参照）が用いられる場合がある。例えば、ＩＥＥＥ（the Institute of Electrical and Electrics Engineers, Inc.）８０２．３ａｈには、イーサネット（登録商標、以下同様）に準ずる１（Ｇｂｐｓ）以上のＧＥ（Gigabit Ethernet）−ＰＯＮに関する技術が規定されている（Ethernetは 登録商標、以下同様）。
【０００４】
ＰＯＮは、光端局装置及び複数の光終端装置が、光を分岐する光カプラを介して接続されたスター型のアクセス系光ネットワークである。光端局装置はＯＬＴ（Optical Line Termination）などと呼ばれ、光終端装置はＯＮＵ（Optical Network Unit）などと呼ばれる。モバイルバックホールネットワークとしてＰＯＮを用いた場合、光ファイバの設置コストの低減だけでなく、１台のＯＬＴにより複数の基地局のトラフィックを伝送できるという利点が得られる。
【先行技術文献】
【特許文献】
【０００５】
【特許文献１】特開２０１０−１９９６７３号公報
【発明の概要】
【発明が解決しようとする課題】
【０００６】
各基地局は同じ周波数帯の電波を通信に用いるため、移動体端末が基地局のセルの端部（以下、「セル端」と表記）に存在する場合、隣接するセルからの電波干渉より通信が不安定になるおそれがある。これに対し、ＬＴＥ（Long Term Evolution）−Ａｄｖａｎｃｅｄの通信において、セル間の協調通信を実現するためにＣｏＭＰ（Coordinated Multi-Point）の技術が検討されている。
【０００７】
収容局は、ＣｏＭＰを用いる場合、セル同士が隣接する複数の基地局との間で同じデータを低遅延で送受信することにより、通信エラーで失われたデータを補完する。ＰＯＮにＣｏＭＰを適用すると、ＯＬＴから、複数の基地局がそれぞれ接続される複数のＯＮＵに同じデータをマルチキャストで送信することができるため、データの遅延を低減することができる。
【０００８】
しかし、移動体端末がセル端を移動して新たなセルの領域に入った場合、マルチキャストの対象となるＯＮＵのグループ（以下、「マルチキャストグループ」と表記）も変化する。このように、移動体端末に移動に伴ってマルチキャストグループが変化するたびに、ＯＬＴ及び複数のＯＮＵに対しマルチキャスト設定を変更すると、その処理時間によりＣｏＭＰの通信の開始が遅れるという問題がある。
【０００９】
そこで本件は、移動体端末の移動に応じマルチキャストグループを迅速に変更することができる伝送システム、伝送装置、及び伝送方法を提供することを目的とする。
【課題を解決するための手段】
【００１０】
１つの態様では、伝送システムは、光端局装置と、前記光端局装置に接続された伝送路の複数の分岐先にそれぞれ接続される複数の光終端装置とを有し、前記複数の光終端装置は、それぞれ、前記伝送路を介し前記光端局装置からフレームを受信する第１受信部と、１以上の移動体端末と通信する通信装置にフレームを送信する第１送信部と、前記第１受信部から前記第１送信部にフレームを転送する転送処理部とを有し、前記光端局装置は、前記複数の光終端装置に同一のフレームをそれぞれ送信する第２送信部と、前記通信装置の通信先の前記１以上の移動体端末を示す端末情報に基づき、前記複数の光終端装置の各々において前記１以上の移動体端末を宛先とするフレームが前記第１受信部から前記第１送信部に転送されるように前記転送処理部を設定する設定処理部とを有し、前記設定処理部は、前記通信装置からの要求に応じ、前記複数の光終端装置のうち、２以上の光終端装置において、共通の前記１以上の移動体端末を宛先とするフレームが前記第１受信部から前記第１送信部に転送されるように前記転送処理部を設定する。
【００１１】
１つの態様では、伝送システムは、光端局装置と、前記光端局装置に接続された伝送路の複数の分岐先にそれぞれ接続される複数の光終端装置とを有し、前記複数の光終端装置は、それぞれ、前記光端局装置との間の論理回線の識別子が付与されたフレームを、前記伝送路を介し受信する受信部と、前記受信部が受信したフレームを、１以上の移動体端末と通信する通信装置に送信する第３送信部とを有し、前記光端局装置は、前記複数の光終端装置のうち、フレームの宛先の前記１以上の移動体端末に応じた光終端装置との間の論理回線の識別子をフレームに付与し、該フレームを前記複数の光終端装置にそれぞれ送信する第４送信部と、前記複数の光終端装置のうち、２以上の光終端装置が属するグループ、及び前記グループ内の共通の論理回線の識別子の対応関係が登録されたグループ管理テーブルを記憶する記憶部と、前記通信装置からの要求に応じ、前記複数の光終端装置のうち、該要求元の前記通信装置に応じた前記グループに対応する前記共通の論理回線の識別子を前記グループ管理テーブルから検索する検索部とを有し、前記第４送信部は、前記グループ内に共通の前記１以上の移動体端末を宛先とするフレームに、前記検索部が検索した前記共通の論理回線の識別子を付与し、該フレームを前記複数の光終端装置にそれぞれ送信する。
【００１２】
１つの態様では、伝送装置は、伝送路の複数の分岐先に複数の光終端装置がそれぞれ接続される伝送装置において、前記複数の光終端装置は、それぞれ、前記伝送路を介し前記伝送装置からフレームを受信する受信部と、１以上の移動体端末と通信する通信装置にフレームを送信する第１送信部と、前記受信部から前記第１送信部にフレームを転送する転送処理部とを有し、前記複数の光終端装置に同一のフレームをそれぞれ送信する第２送信部と、前記通信装置の通信先の前記１以上の移動体端末を示す端末情報に基づき、前記複数の光終端装置の各々において前記１以上の移動体端末を宛先とするフレームが前記受信部から前記第１送信部に転送されるように前記転送処理部を設定する設定処理部とを有し、前記設定処理部は、前記通信装置からの要求に応じ、前記複数の光終端装置のうち、２以上の光終端装置において、共通の前記１以上の移動体端末を宛先とするフレームが前記受信部から前記第１送信部に転送されるように前記転送処理部を設定する。
【００１３】
１つの態様では、伝送装置は、伝送路の複数の分岐先に複数の光終端装置がそれぞれ接続される伝送装置において、前記複数の光終端装置は、それぞれ、前記光端局装置との間の論理回線の識別子が付与されたフレームを、前記伝送路を介し受信して、１以上の移動体端末と通信する通信装置に送信し、前記複数の光終端装置のうち、フレームの宛先の前記１以上の移動体端末に応じた光終端装置との間の論理回線の識別子をフレームに付与し、該フレームを前記複数の光終端装置にそれぞれ送信する第４送信部と、前記複数の光終端装置のうち、２以上の光終端装置が属するグループ、及び前記グループ内の共通の論理回線の識別子の対応関係が登録されたグループ管理テーブルを記憶する記憶部と、前記通信装置からの要求に応じ、前記複数の光終端装置のうち、該要求元の前記通信装置に応じた前記グループに対応する前記共通の論理回線の識別子を前記グループ管理テーブルから検索する検索部とを有し、前記第４送信部は、前記グループ内に共通の前記１以上の移動体端末を宛先とするフレームに、前記検索部が検索した前記共通の論理回線の識別子を付与し、該フレームを前記複数の光終端装置にそれぞれ送信する。
【００１４】
１つの態様では、伝送方法は、光端局装置と、前記光端局装置の伝送路の複数の分岐先にそれぞれ接続される複数の光終端装置との間でフレームを伝送する伝送方法において、前記複数の光終端装置は、それぞれ、前記伝送路を介し前記光端局装置からフレームを受信する受信部と、１以上の移動体端末と通信する通信装置にフレームを送信する第１送信部と、前記受信部から前記第１送信部にフレームを転送する転送処理部とを有し、前記光端局装置は、前記複数の光終端装置に同一のフレームをそれぞれ送信し、前記通信装置の通信先の前記１以上の移動体端末を示す端末情報に基づき、前記複数の光終端装置の各々において前記１以上の移動体端末を宛先とするフレームが前記受信部から前記第１送信部に転送されるように前記転送処理部を設定し、前記通信装置からの要求に応じ、前記複数の光終端装置のうち、２以上の光終端装置において、共通の前記１以上の移動体端末を宛先とするフレームが前記受信部から前記第１送信部に転送されるように前記転送処理部を設定する伝送方法である。
【００１５】
１つの態様では、伝送方法は、光端局装置と、前記光端局装置の伝送路の複数の分岐先にそれぞれ接続される複数の光終端装置との間でフレームを伝送する伝送方法において、前記複数の光終端装置は、それぞれ、前記光端局装置との間の論理回線の識別子が付与されたフレームを、前記伝送路を介し受信して、１以上の移動体端末と通信する通信装置に送信し、前記光端局装置は、前記複数の光終端装置のうち、フレームの宛先の前記１以上の移動体端末に応じた光終端装置との間の論理回線の識別子をフレームに付与し、該フレームを前記複数の光終端装置にそれぞれ送信し、前記通信装置からの要求に応じ、前記複数の光終端装置のうち、２以上の光終端装置が属するグループ、及び前記グループ内の共通の論理回線の識別子の対応関係が登録されたグループ管理テーブルから、前記複数の光終端装置のうち、該要求元の前記通信装置に応じた前記グループに対応する前記共通の論理回線の識別子を検索し、前記グループ内に共通の前記１以上の移動体端末を宛先とするフレームに、前記検索した前記共通の論理回線の識別子を付与し、該フレームを前記複数の光終端装置にそれぞれ送信する。
【発明の効果】
【００１６】
１つの側面として、移動体端末の移動に応じマルチキャストグループを迅速に変更することができる。
【図面の簡単な説明】
【００１７】
【図１】伝送システムの一例を示す構成図である。
【図２】端末管理テーブル及びグループ管理テーブルの比較例を示す図である。
【図３】第１実施例のＯＮＵを示す構成図である。
【図４】第１実施例のＯＬＴを示す構成図である。
【図５】リンク管理テーブル、端末管理テーブル、及びグループ管理テーブルの一例を示す図である。
【図６】ユニキャスト送信の一例を示す図である。
【図７】マルチキャスト送信の一例を示す図である。
【図８】マルチキャスト送信の他の例を示す図である。
【図９】端末管理テーブルの例を示す図である。
【図１０】転送テーブルの例を示す図である。
【図１１】第１実施例におけるＯＬＴとＯＮＵの間の通信処理を示すシーケンス図である。
【図１２】比較例におけるＯＬＴとＯＮＵの間の通信処理を示すシーケンス図である。
【図１３】ＯＬＴの下りフレームの送信処理の一例を示すフローチャートである。
【図１４】ＯＬＴの上りフレームの受信処理の一例を示すフローチャートである。
【図１５】ＯＮＵの下りフレームの受信処理の一例を示すフローチャートである。
【図１６】第２実施例のＯＮＵを示す構成図である。
【図１７】第２実施例のＯＬＴを示す構成図である。
【図１８】リンク管理テーブル及びグループ管理テーブルの一例を示す図である。
【図１９】ユニキャスト送信の一例を示す図である。
【図２０】マルチキャスト送信の一例を示す図である。
【図２１】マルチキャスト送信の他の例を示す図である。
【図２２】第２実施例におけるＯＬＴとＯＮＵの間の通信処理を示すシーケンス図である。
【図２３】ＯＬＴの下りフレームの送信処理の一例を示すフローチャートである。
【図２４】ＯＬＴの上りフレームの受信処理の一例を示すフローチャートである。
【図２５】ＯＮＵの下りフレームの受信処理の一例を示すフローチャートである。
【図２６】ＴＷＤＭ（Time and Wavelength Division Multiplexing）−ＰＯＮのＯＬＴの一例を示す構成図である。
【発明を実施するための形態】
【００１８】
図１は、伝送システムの一例を示す構成図である。伝送システムは、ＯＬＴ１と、複数のＯＮＵ（＃１〜＃ｎ）（ｎ：２以上の整数）２と、複数のＢＢＵ（Base Band Unit）（＃１〜＃ｎ）３と、複数のＲＲＨ（Remote Radio Head）（＃１〜＃ｎ）４とを有する。なお、ＯＬＴ１は伝送装置の一例であり、ＢＢＵ３及びＲＲＨ４は通信装置の一例である。
【００１９】
ＯＬＴ１は、例えば通信事業者の局舎内に設置される光端局装置であり、ＯＮＵ２は、例えば屋外のキャビネットなどに収容される光終端装置である。ＯＬＴ１は、伝送路の一例である光ファイバ９０を介し複数のＯＮＵ２に接続されている。光ファイバ９０は、光スプリッタ９１により複数本に分岐する。光ファイバ９０の各分岐先にはＯＮＵ２が接続されている。
【００２０】
このように、ＯＬＴ１と複数のＯＮＵ２はＰＯＮを構成する。ＰＯＮは、無線通信ネットワークにおける基地局と上位側の収容局を結ぶモバイルバックホールネットワークとして用いられる。なお、ＰＯＮとしては、一例としてＩＥＥＥ８０２．３ａｈに規定されたＧＥ−ＰＯＮが挙げられるが、これに限定されない。
【００２１】
ＢＢＵ３及びＲＲＨ４は、互いに接続されて基地局装置を構成し、収容局はコアネットワークＮＷに接続されている。ＲＲＨ（＃１〜＃ｎ）４は、所定の範囲のセルＣ１〜Ｃｎを有し、セルＣ１〜Ｃｎ内に存在する１以上の移動体端末Ｔ１０〜Ｔ１３，Ｔ２０，Ｔ２１，Ｔ２３，Ｔ２４，Ｔ３０，Ｔ３１，Ｔ３４，Ｔ４０，Ｔ４１，Ｔ５１，Ｔ５２（以下、Ｔｘと表記）と通信する。なお、移動体端末Ｔｘとしては、スマートフォンなどが挙げられる。
【００２２】
ＯＬＴ１はＳＮＩ（Service Network Interface）側でコアネットワークＮＷに接続され、各ＯＮＵ２はＵＮＩ（User Network Interface）側でＢＢＵ３に接続されている。このため、収容局と各ＢＢＵ３は、ＰＯＮを介して通信することができる。
【００２３】
本明細書では、ＯＬＴ１から各ＯＮＵ２に向かう伝送方向を「下り方向」と表記し、各ＯＮＵ２からＯＬＴ１に向かう伝送方向を「上り方向」と表記する。ＯＬＴ１は、各ＯＮＵ２に下りフレームＦｄを送信し、ＯＮＵ（＃１〜＃ｎ）２は、ＯＬＴ１に上りフレームＦｕ（＃１）〜Ｆｕ（＃ｎ）を送信する。
【００２４】
ＯＮＵ２は、ＯＬＴ１から指定されたタイミングで上りフレームＦｕ（＃１）〜Ｆｕ（＃ｎ）を送信する。このため、上りフレームＦｕ（＃１）〜Ｆｕ（＃ｎ）同士が光ファイバ９０内で衝突することはない。
【００２５】
また、ＯＬＴ１は、各ＯＮＵ２宛ての下りフレームＦｄを時分割多重して送信する。各ＯＮＵ２は、自装置宛ての下りフレームＦｄだけを選択してＢＢＵ３に送信し、他のＯＮＵ２宛ての下りフレームＦｄを廃棄する。このため、コアネットワークＮＷからＰＯＮを介し宛先の移動体端末Ｔｘに下りフレームＦｄが伝送される。なお、上りフレームＦｕ及び下りフレームＦｄとしては、イーサネットフレームが挙げられるが、これに限定されない。
【００２６】
各ＲＲＨ４は同じ周波数帯の電波を用いて移動体端末Ｔｘと通信する。このため、移動体端末Ｔｘがセル端に存在する場合、隣接するセルＣ１〜Ｃｎからの電波干渉より通信が不安定になるおそれがある。例えば、セルＣ１内の移動体端末Ｔ１０〜Ｔ１３，Ｔ５１はＲＲＨ（＃１）４と通信するが、移動体端末Ｔ１２は、隣接するセルＣ２と重複するセル端に位置する。このため、移動体端末Ｔ１２は、セルＣ２からの電波干渉を受けるおそれがある。
【００２７】
また、移動体端末Ｔ１３は、隣接するセルＣ３と重複するセル端に位置するため、セルＣ３からの電波干渉を受けるおそれがあり、移動体端末Ｔ５１は、隣接するセルＣ２，Ｃ３と重複するセル端に位置するため、セルＣ２，Ｃ３からの電波干渉を受けるおそれがある。なお、セル端に存在する他の移動体端末Ｔ２３，Ｔ２４，Ｔ３４，Ｔ５２も、上記と同様に隣接するセルＣ２，Ｃ３，Ｃｎからの電波干渉を受けるおそれがある。
【００２８】
これに対し、セル間の協調通信を実現するためにＣｏＭＰの技術が用いられる。収容局は、ＣｏＭＰを用いる場合、セルＣ１〜Ｃｎ同士が隣接する複数のＢＢＵ３との間で同じデータを低遅延で送受信することにより、通信エラーで失われたデータを補完する。ＰＯＮにＣｏＭＰを適用すると、ＯＬＴ１から、複数のＢＢＵ３がそれぞれ接続される複数のＯＮＵ２に同じデータをマルチキャストで送信することができるため、データの遅延を低減することができる。
【００２９】
ＯＬＴ１は、例えば、ＯＮＵ２と移動体端末Ｔｘの対応関係を端末管理テーブルにより管理し、ＯＮＵ２のマルチキャストグループをグループ管理テーブルにより管理する。
【００３０】
図２は、端末管理テーブル及びグループ管理テーブルの比較例を示す図である。端末管理テーブルには、ＯＮＵ２を識別するＯＮＵ−ＩＤ（＃１〜＃ｎ）と、移動体端末Ｔｘを識別する端末ＩＤとが登録されている。端末ＩＤは、例えば移動体端末ＴｘのＭＡＣ（Media Access Control）アドレスであり、本例では図１に示された移動体端末Ｔｘの符号（Ｔ１０など）とする。
【００３１】
例えば、ＯＮＵ−ＩＤ＃１には、端末ＩＤとしてＴ１０〜Ｔ１３，Ｔ５１が対応付けられている。このため、ＯＮＵ（＃１）２は、セルＣ１内の移動体端末Ｔ１０〜Ｔ１３，Ｔ５１と対応することがわかる。ＯＬＴ１は、ＯＮＵ２と移動体端末Ｔｘの対応関係を、例えば各ＢＢＵ３から送信される端末情報から取得して端末管理テーブルに登録する。端末情報には、ＢＢＵ３（ＲＲＨ４）の通信先の移動体端末Ｔｘの端末ＩＤ（ＭＡＣアドレス）が含まれる。
【００３２】
グループ管理テーブルには、マルチキャストグループを識別するグループＩＤと、ＰＯＮ内の論理回線を識別するＬＬＩＤ（Logical Link Identifier）と、ＯＮＵ−ＩＤと、端末ＩＤとが互いに対応付けられて登録されている。なお、ＯＮＵ−ＩＤについて、該当するＯＮＵ−ＩＤの欄には丸印が示され、該当しないＯＮＵ−ＩＤの欄にはバツ印が示されている。例えば、マルチキャストグループ＃１にはＯＮＵ（＃１）２とＯＮＵ（＃２）２が属し、マルチキャストグループ＃２にはＯＮＵ（＃２）２とＯＮＵ（＃３）２が属する。
【００３３】
ＯＬＴ１は、ＢＢＵ３からの要求に応じて、セル端に存在する移動体端末Ｔｘに対応する複数のＯＮＵ２のマルチキャストグループを設定してグループ管理テーブルに登録する。ＢＢＵ３からの要求には、例えばセル端に存在し、ＣｏＭＰの対象とする移動体端末Ｔｘの端末ＩＤが示されている。ＢＢＵ３は、例えば移動体端末Ｔｘの通信のＳＮ（Signal-to-Noise）比などに基づきＣｏＭＰの対象の移動体端末Ｔｘを検出する。
【００３４】
ＯＬＴ１は、例えばセル端の移動体端末Ｔ１２についてＢＢＵ（＃１）３から要求を受けると、端末管理テーブルから端末ＩＤ「Ｔ１２」に対応するＯＮＵ−ＩＤ「＃１」，「＃２」を検索する。これにより、ＯＬＴ１は、ＯＮＵ（＃１）２とＯＮＵ（＃２）２が属するマルチキャストグループ＃１を設定する。なお、ＯＬＴ１は、他のセル端の移動体端末Ｔ２３，Ｔ１３，Ｔ２４，Ｔ３４，Ｔ５１，Ｔ５２についてＢＢＵ３から要求を受けた場合も、端末管理テーブルから検索したＯＮＵ−ＩＤに基づきマルチキャストグループ＃２〜＃７を設定する。
【００３５】
また、ＯＬＴ１は、マルチキャストグループに対しＬＬＩＤを割り当てグループ管理テーブルに登録する。例えば、マルチキャストグループ＃１には、ＬＬＩＤ「＃９１」が割り当てられている。なお、ＬＬＩＤは、論理回線の識別子の一例である。
【００３６】
ＯＬＴ１は、移動体端末Ｔ１２を宛先とする下りフレームＦｄにＬＬＩＤ「＃９１」を付与し、マルチキャストグループ＃１に属するＯＮＵ（＃１）２及びＯＮＵ（＃２）２は、ＬＬＩＤ「＃９１」が付与された下りフレームＦｄを受信する。これにより、移動体端末Ｔ１２を宛先とする下りフレームＦｄが、ＯＮＵ（＃１）２及びＯＮＵ（＃２）２を介し移動体端末Ｔ１２に送信される。
【００３７】
また、マルチキャストグループ＃２には、ＬＬＩＤ「＃９２」が割り当てられている。ＯＬＴ１は、移動体端末Ｔ２３を宛先とする下りフレームＦｄにＬＬＩＤ「＃９２」を付与し、マルチキャストグループ＃１に属するＯＮＵ（＃２）２及びＯＮＵ（＃３）２は、ＬＬＩＤ「＃９２」が付与された下りフレームＦｄを受信する。これにより、移動体端末Ｔ２３を宛先とする下りフレームＦｄが、ＯＮＵ（＃２）２及びＯＮＵ（＃３）２を介し移動体端末Ｔ２３に送信される。
【００３８】
しかし、移動体端末Ｔｘがセル端を移動して新たなセルの領域に入った場合、マルチキャストグループも変化する。このように、移動体端末Ｔｘに移動に伴ってマルチキャストグループが変化するたびに、ＯＬＴ及び複数のＯＮＵに対しマルチキャスト設定を変更すると、その処理時間によりＣｏＭＰの通信の開始が遅れるおそれがある。
【００３９】
例えば、図１の点線の矢印で示されるように、移動体端末Ｔｘが、移動体端末Ｔ１１，Ｔ１２，Ｔ５１，Ｔ２３の各位置を、この順で移動したと仮定する。このとき、ＯＬＴ１は、移動体端末Ｔｘの移動に応じてマルチキャストグループを変更する必要がある。
【００４０】
より具体的には、ＯＬＴ１は、移動体端末Ｔｘが移動体端末Ｔ１２の位置に移動した場合、図２のマルチキャストグループ＃１を設定し、移動体端末Ｔｘが移動体端末Ｔ５１の位置に移動した場合、図２のマルチキャストグループ＃６を設定する。また、ＯＬＴ１は、移動体端末Ｔｘが移動体端末Ｔ２３の位置に移動した場合、図２のマルチキャストグループ＃２を設定する。
【００４１】
マルチキャストグループはセル数が多いほど増加し、その設定変更の頻度は増加する。比較例では、マルチキャストグループに、ＰＯＮ内の論理回線を識別するＬＬＩＤが割り当てられるため、ＯＬＴ１とＯＮＵ２の両方に複雑な設定処理を行う必要があり、その処理時間によりＣｏＭＰの通信の開始が遅れるおそれがある。
【００４２】
（第１実施例）
そこで第１実施例のＯＬＴ１は、下りフレームＦｄを全てのＯＮＵ２にブロードキャストで送信し、ＯＮＵ２からＢＢＵ３に送信される下りフレームＦｄを端末ＩＤにより設定することでマルチキャストグループを生成する。ＯＮＵ２は、ＯＬＴ１から全ての下りフレームＦｄを受信するが、設定された端末ＩＤを宛先とする下りフレームＦｄだけをＢＢＵ３に送信する。
【００４３】
したがって、ＯＬＴ１は、ＢＢＵ３からの要求に従ってＣｏＭＰの対象となる移動体端末Ｔｘの端末ＩＤによりマルチキャストグループを設定することで、移動体端末Ｔｘの移動に応じマルチキャストグループを迅速に変更することができる。
【００４４】
本明細書において、ブロードキャストとは、全てのＯＮＵ２を送信先とする送信方式であるのに対し、マルチキャストとは、少なくとも一部のＯＮＵ２を送信先とする送信方式である。ＯＬＴ１は、各ＯＮＵ（＃１〜＃ｎ）２との間の共通の論理回線の識別子であるブロードキャストＬＬＩＤ＃ｋ（ｋ：正の整数）を下りフレームＦｄに付与することにより、下りフレームＦｄをブロードキャストで送信する。
【００４５】
ＯＮＵ２は、所定のブロードキャストＬＬＩＤ＃ｋが付与された下りフレームＦｄを受信する。このため、ＯＬＴ１は、移動体端末Ｔｘの移動のたびにブロードキャストＬＬＩＤを設定する必要がないため、容易にマルチキャストグループを変更することができる。以下に、ＯＬＴ１及びＯＮＵ２の構成について述べる。
【００４６】
図３は、第１実施例のＯＮＵ２を示す構成図である。ＯＮＵ２は、ＣＰＵ２０と、ＲＯＭ（Read Only Memory）２１と、ＲＡＭ（Random Access Memory）２２と、ハードウェアインターフェース部（ＨＷ−ＩＦ）２３と、ＳＲＡＭ（Static RAM）２４とを有する。また、ＯＮＵ２は、光合分波部２８０と、光−電気変換部（Ｏ／Ｅ）２７０と、電気−光変換部（Ｅ／Ｏ）２７１と、受信処理部２５０と、送信処理部２５１と、転送処理部２８１と、受信器２９０と、送信器２９１とを有する。
【００４７】
光合分波部２８０は、例えばＷＤＭカプラであり、ＯＬＴ１から光ファイバ９０を介して入力された光信号を光−電気変換部２７０に導き、電気−光変換部２７１から入力された光信号を、光ファイバ９０を介しＯＬＴ１に導く。なお、光合分波部２８０と光−電気変換部２７０及び電気−光変換部２７１の間の点線の矢印は、光信号の出力方向を示す。
【００４８】
光−電気変換部２７０は、例えばフォトダイオードなどの回路から構成され、ＯＬＴ１から入力された光信号を電気信号に変換する。電気信号には下りフレームＦｄが含まれている。下りフレームＦｄは光−電気変換部２７０から受信処理部２５０に入力される。
【００４９】
受信処理部２５０は、下りフレームＦｄの受信処理を行う。すなわち、受信処理部２５０は、第１受信部の一例であり、光ファイバ９０を介しＯＬＴ１から下りフレームＦｄを受信する。
【００５０】
より具体的には、受信処理部２５０は、下りフレームＦｄに付与されたＬＬＩＤを検出し、ＬＬＩＤに基づき下りフレームＦｄの受信可否を判定する。換言すれば、受信処理部２５０は、ＬＬＩＤに基づき自装置宛ての下りフレームＦｄを判定する。
【００５１】
受信処理部２５０は、ＯＬＴ１とのリンクが確立したときにＯＬＴ１から割り当てられた個別のＬＬＩＤ、またはブロードキャストＬＬＩＤを検出した場合、下りフレームＦｄを受信し、その他のＬＬＩＤを検出した場合、下りフレームＦｄを廃棄する。このため、各ＯＮＵ２は、自装置宛ての下りフレームＦｄだけを受信することができる。なお、本例では、マルチキャストグループのＬＬＩＤは使用されない。
【００５２】
受信処理部２５０は、ＯＬＴ１から受信した下りフレームＦｄからＬＬＩＤを削除する。このため、ＢＢＵ３に送信されるデータ量がＬＬＩＤ分低減される。
【００５３】
また、受信処理部２５０は、例えば下りフレームＦｄのうち、ＯＬＴ１からの自装置宛ての制御メッセージを含む制御フレームを所定の識別子（例えばＯｐＣｏｄｅ）により検出し、制御メッセージを、ＨＷ−ＩＦ２３を介しＣＰＵ２０に出力する。受信処理部２５０は、移動体端末Ｔｘを宛先とする他の下りフレームＦｄを転送処理部２８１に出力する。なお、受信処理部２５０は、例えばＦＰＧＡ（Field Programmable Gate Array）やＡＳＩＣ（Application Specified Integrated Circuit）などの論理回路から構成される。
【００５４】
転送処理部２８１は、例えばレイヤ２スイッチの機能を有し、ＣＰＵ２０からの転送設定に基づいて下りフレームＦｄを受信処理部２５０から送信器２９１に転送する。なお、本例では１つの送信器２９１だけが転送処理部２８１に接続されているが、複数の送信器２９１が転送処理部２８１に接続されてもよい。
【００５５】
ＣＰＵ２０は、ＯＬＴ１から制御メッセージとして転送設定の指示を受ける。転送設定は、移動体端末Ｔｘの端末ＩＤ（例えばＭＡＣアドレス）により行われる。このため、ＯＬＴ１は、端末ＩＤを、下りフレームＦｄの宛先（ＤＡ：Destination Address）として転送処理部２８１に設定することにより、受信処理部２５０から送信器２９１に転送される下りフレームＦｄを制御することができる。
【００５６】
これにより、ＯＬＴ１は、ＯＮＵ２からＢＢＵ３に送信される下りフレームＦｄを制御する。したがって、移動体端末Ｔｘは、ＢＢＵ３及びＲＲＨ４が接続されたＯＮＵ２から、自装置を宛先とする下りフレームＦｄを受信することができる。なお、転送処理部２８１は、例えばＦＰＧＡやＡＳＩＣなどの論理回路から構成される。
【００５７】
送信器２９１は、第１送信部の一例であり、ＢＢＵ３に下りフレームＦｄを送信する。送信器２９１は、例えばＰＨＹ（Physical）レイヤ及びＭＡＣレイヤの機能を有し、下りフレームＦｄに所定の変換処理を行い、下りフレームＦｄを送信する。なお、送信器２９１は、例えばＦＰＧＡやＡＳＩＣなどの論理回路から構成される。
【００５８】
受信器２９０は、ＢＢＵ３からデータを受信して上りフレームＦｕを生成する。受信器２９０は、上りフレームＦｕを送信処理部２５１に出力する。なお、受信器２９０は、例えばＦＰＧＡやＡＳＩＣなどの論理回路から構成される。
【００５９】
送信処理部２５１は、上りフレームＦｕの送信処理を行う。送信処理部２５１は、ＯＬＴ１とのリンクを確立したときにＯＬＴ１から制御メッセージで指定されたタイミングで送信処理を行う。送信処理部２５１は、ＯＬＴ１から割り当てられたＯＮＵ２ごとの個別のＬＬＩＤを上りフレームＦｕに付与し、その上りフレームＦｕを電気−光変換部２７１に出力する。
【００６０】
また、送信処理部２５１は、ＣＰＵ２０からＨＷ−ＩＦ２３を介し入力された制御メッセージを含む制御フレームを生成する。送信処理部２５１は、制御フレームを上りフレームＦｕとして電気−光変換部２７１に出力する。また、送信処理部２５１は、ＢＢＵ３からのマルチキャストの要求またはＢＢＵ３（ＲＲＨ４）の通信先の端末情報を含む上りフレームＦｕを電気−光変換部２７１に出力する。なお、送信処理部２５１は、例えばＦＰＧＡやＡＳＩＣなどの論理回路から構成される。
【００６１】
電気−光変換部２７１は、例えばレーザダイオードなどを含む回路により構成され、上りフレームＦｕを含む電気信号を光信号に変換して光合分波部２８０に出力する。
【００６２】
ＣＰＵ２０は、互いに信号の入出力ができるように、ＲＯＭ２１、ＲＡＭ２２、ＨＷ−ＩＦ２３、及びＳＲＡＭ２４と、バス２９を介して接続されている。なお、ＣＰＵ２０に代えて、ＭＰＵ（Micro Processor Unit）などの他のプロセッサが用いられてもよい。
【００６３】
ＲＯＭ２１は、ＣＰＵ２０を駆動するプログラムが格納されている。ＲＡＭ２２は、ＣＰＵ２０のワーキングメモリとして機能する。ＨＷ−ＩＦ２３は、送信処理部２５１、受信処理部２５０、及び転送処理部２８１をバス２９に接続することにより、ＣＰＵ２０と送信処理部２５１、受信処理部２５０、及び転送処理部２８１の通信を中継する（点線の矢印を参照）。なお、ＨＷ−ＩＦ２３は、例えばＦＰＧＡやＡＳＩＣなどの論理回路から構成される。
【００６４】
ＳＲＡＭ２４には、転送処理部２８１の転送設定の内容を示す転送テーブル２４０が格納されている。転送テーブル２４０には、転送処理部２８１が受信処理部２５０から送信器２９１に転送する下りフレームＦｄの宛先の端末ＩＤが登録されている。
【００６５】
ＣＰＵ２０は、ＲＯＭ２１からプログラムを読み込むと、機能として、動作制御部２００、リンク処理部２０１、及び転送制御部２０２が形成される。動作制御部２００は、ＯＮＵ２の全体の動作を制御し、所定のシーケンスに従いリンク処理部２０１及び転送制御部２０２に動作を指示する。なお、動作制御部２００、リンク処理部２０１、及び転送制御部２０２は、例えばＦＰＧＡやＡＳＩＣなどの論理回路から構成されてもよい。
【００６６】
リンク処理部２０１は、ＯＬＴ１とのリンクの確立を処理する。リンク処理部２０１は、ＯＬＴ１との間で所定の制御メッセージを送受信する。これにより、リンク処理部２０１は、ＯＬＴ１からＯＮＵ２ごとの個別のＬＬＩＤを割り当てられる。リンク処理部２０１は、送信処理部２５１に個別のＬＬＩＤを設定する。
【００６７】
これにより、送信処理部２５１は、上りフレームＦｕに個別のＬＬＩＤを付与する。ＯＬＴ１は、個別のＬＬＩＤを検出することにより上りフレームＦｕの送信元のＯＮＵ２を判定する。
【００６８】
また、転送処理部２８１は、ＯＬＴ１とのリンク確立後、ＯＬＴ１からの制御メッセージに含まれる転送設定の指示に従い転送処理部２８１に転送処理を行う。転送設定の指示には、転送対象の下りフレームＦｄの宛先の端末ＩＤと、非転送対象（つまり廃棄対象）の下りフレームＦｄの宛先の端末ＩＤとの少なくとも一方が含まれている。転送処理部２８１は、転送設定の指示に応じて転送テーブル２４０を更新し、更新後の転送テーブル２４０に基づき転送処理部２８１を、ＨＷ−ＩＦ２３を介して設定する。
【００６９】
ＯＬＴ１は、上述したように、全ての下りフレームＦｄにブロードキャストＬＬＩＤを付与する。このため、各ＯＮＵ２の受信処理部２５０は、同一の下りフレームＦｄを受信する。
【００７０】
また、ＯＬＴ１は、各ＯＮＵ２の転送処理部２８１に、ＯＮＵ２に対応する移動体端末Ｔｘの端末ＩＤを設定する。このため、各ＯＮＵ２の送信器２９１は、ＯＮＵ２に対応する移動体端末Ｔｘに下りフレームＦｄを送信することができる。
【００７１】
ＯＬＴ１は、各移動体端末Ｔｘに下りフレームＦｄがユニキャストで送信されるように各ＯＮＵ２の転送処理部２８１を設定し、ＢＢＵ３からのマルチキャストの要求に応じて、複数のＯＮＵ２の転送処理部２８１に、セル端に存在する共通の移動体端末Ｔｘの端末ＩＤを設定する。これにより、ＯＬＴ１は、共通の移動体端末Ｔｘを宛先とする下りフレームＦｄをマルチキャストグループに送信することができる。なお、ユニキャストとは、送信先を１つのＯＮＵ２のみとする送信方式である。
【００７２】
図４は、第１実施例のＯＬＴ１を示す構成図である。ＯＬＴ１は、光インターフェースユニット１ａと、制御ユニット１ｂとを有する。光インターフェースユニット１ａは、上りフレームＦｕ及び下りフレームＦｄの送受信処理を行い、制御ユニット１ｂは、ＯＮＵ２と制御メッセージを送受信することにより各種の制御を行う。
【００７３】
制御ユニット１ｂは、ＣＰＵ１０と、ＲＯＭ１１と、ＲＡＭ１２と、ＨＷ−ＩＦ１３と、ＳＲＡＭ１８とを有する。ＣＰＵ１０は、互いに信号の入出力ができるように、ＲＯＭ１１、ＲＡＭ１２、ＨＷ−ＩＦ１３、及びＳＲＡＭ１８、バス１９を介して接続されている。なお、ＣＰＵ１０に代えて、ＭＰＵなどの他のプロセッサが用いられてもよい。
【００７４】
光インターフェースユニット１ａは、ネットワークインターフェース部（ＮＷ−ＩＦ）１４と、光合分波部１７と、送信処理部１５０と、受信処理部１５１と、電気−光変換部（Ｅ／Ｏ）１６０と、光−電気変換部（Ｏ／Ｅ）１６１とを有する。
【００７５】
光合分波部１７は、例えばＷＤＭカプラであり、各ＯＮＵ２から光ファイバ９０を介して入力された光信号を光−電気変換部１６１に導き、電気−光変換部１６０から入力された光信号を、光ファイバ９０を介し各ＯＮＵ２に導く。なお、光合分波部１７と光−電気変換部１６１及び電気−光変換部１６０の間の点線の矢印は、光信号の出力方向を示す。
【００７６】
光−電気変換部１６１は、例えばフォトダイオードなどの回路から構成され、各ＯＮＵ２から入力された光信号を電気信号に変換する。電気信号には上りフレームＦｕが含まれている。上りフレームＦｕは光−電気変換部１６１から受信処理部１５１に入力される。
【００７７】
受信処理部１５１は、上りフレームＦｕの受信処理を行う。すなわち、受信処理部１５１は、第２受信部の一例であり、複数のＯＮＵ２から上りフレームＦｕをそれぞれ受信する。
【００７８】
受信処理部１５１は、上りフレームＦｕに付与されたＯＮＵ２の個別のＬＬＩＤに基づき上りフレームＦｕの送信元のＯＮＵ２を判定する。受信処理部１５１は、上りフレームＦｕからＬＬＩＤを削除して、上りフレームＦｕをＮＷ−ＩＦ１４に出力する。
【００７９】
また、受信処理部１５１は、例えば上りフレームＦｕのうち、各ＯＮＵ２からの制御メッセージを含む制御フレームを所定の識別子（例えばＯｐＣｏｄｅ）により検出し、制御メッセージを、ＨＷ−ＩＦ１３を介しＣＰＵ１０に出力する。
【００８０】
また、受信処理部１５１は、ＢＢＵ３からの上りフレームＦｕのうち、端末情報を含む上りフレームＦｕと、ＣｏＭＰを実行するためのマルチキャストの要求（以下、「マルチキャスト要求」）を含む上りフレームＦｕとを所定の識別子（例えばＴｙｐｅ領域）により検出する。受信処理部１５１は、端末情報及びマルチキャスト要求を、送信元のＯＮＵ２を示す情報とともに、ＨＷ−ＩＦ１３を介しＣＰＵ１０に出力する。受信処理部１５１は、他の上りフレームＦｕをＮＷ−ＩＦ１４に出力する。なお、受信処理部１５１は、例えばＦＰＧＡやＡＳＩＣなどの論理回路から構成される。
【００８１】
ＮＷ−ＩＦ１４は、上りフレームＦｕを所定の形式（例えばＡＴＭ（Asynchronous Transfer Mode）セル）に変換してコアネットワークＮＷに送信する。また、ＮＷ−ＩＦ１４は、コアネットワークＮＷから受信したデータ（例えばＡＴＭセル）から下りフレームＦｄを生成して送信処理部１５０に出力する。なお、ＮＷ−ＩＦ１４は、例えばＦＰＧＡやＡＳＩＣなどの論理回路から構成される。
【００８２】
送信処理部１５０は、下りフレームＦｄにブロードキャストＬＬＩＤを付与し、その下りフレームＦｄの送信処理を行う。すなわち、送信処理部１５０は、第２送信部の一例であり、複数のＯＮＵ（＃１〜＃ｎ）２に同一の下りフレームＦｄをそれぞれ送信する。
【００８３】
送信処理部１５０は、ＣＰＵ１０からＨＷ−ＩＦ１３を介して下りフレームＦｄに対して付与するＬＬＩＤが設定される。ＣＰＵ１０は、送信処理部１５０に対しブロードキャストＬＬＩＤを設定する。これにより、送信処理部１５０は、宛先となるＯＮＵ２に関わらず、下りフレームＦｄにブロードキャストＬＬＩＤを付与する。このため、各ＯＮＵ（＃１〜＃ｎ）２は共通の下りフレームＦｄを受信する。送信処理部１５０は、ＬＬＩＤを付与した下りフレームＦｄを電気−光変換部１６０に出力する。
【００８４】
また、送信処理部１５０は、ＣＰＵ１０からＨＷ−ＩＦ１３を介し入力された制御メッセージを含む制御フレームを生成する。送信処理部１５０は、制御フレームを下りフレームＦｄとして電気−光変換部１６０に出力する。なお、送信処理部１５０は、例えばＦＰＧＡやＡＳＩＣなどの論理回路から構成される。
【００８５】
電気−光変換部１６０は、例えばレーザダイオードなどを含む回路により構成され、下りフレームＦｄを含む電気信号を光信号に変換して光合分波部１７に出力する。
【００８６】
ＲＯＭ１１は、ＣＰＵ１０を駆動するプログラムが格納されている。ＲＡＭ１２は、ＣＰＵ１０のワーキングメモリとして機能する。ＨＷ−ＩＦ１３は、送信処理部１５０及び受信処理部１５１をバス１９に接続することにより、ＣＰＵ１０と送信処理部１５０及び受信処理部１５１の通信を中継する（点線の矢印を参照）。なお、ＨＷ−ＩＦ１３は、例えばＦＰＧＡやＡＳＩＣなどの論理回路から構成される。
【００８７】
ＳＲＡＭ１８には、リンク管理テーブル１８０と、端末管理テーブル１８１と、グループ管理テーブル１８２とが格納されている。
【００８８】
ＣＰＵ１０は、ＲＯＭ１１からプログラムを読み込むと、機能として、動作制御部１００、リンク制御部１０１、端末管理部１０２、転送設定部１０３、及びグループ管理部１０４が形成される。動作制御部１００は、ＯＬＴ１の全体の動作を制御し、所定のシーケンスに従いリンク制御部１０１、端末管理部１０２、転送設定部１０３、及びグループ管理部１０４に動作を指示する。なお、動作制御部１００、リンク制御部１０１、端末管理部１０２、転送設定部１０３、及びグループ管理部１０４は、例えばＦＰＧＡやＡＳＩＣなどの論理回路から構成されてもよい。
【００８９】
リンク制御部１０１は、ＯＮＵ２との間で所定の制御メッセージを送受信することによりＯＮＵ２とのリンクを確立する。リンク制御部１０１は、リンクを確立したＯＮＵ２との間で用いるＬＬＩＤをリンク管理テーブル１８０に登録し、リンク管理テーブル１８０に基づき送信処理部１５０及び受信処理部１５１にＬＬＩＤを設定する。
【００９０】
図５には、リンク管理テーブル１８０の一例が示されている。リンク管理テーブル１８０には、ＯＮＵ−ＩＤと、ＯＮＵ２ごとのリンク状態（ＯＫ：リンクアップ、ＮＧ：リンクダウン）と、各ＯＮＵ２の間で用いるＬＬＩＤとが登録されている。上りＬＬＩＤは、上りフレームＦｕに付与されるＬＬＩＤであり、ＯＮＵ２ごとの個別のＬＬＩＤ（＃１〜＃ｎ）が設定される。下りＬＬＩＤは、下りフレームＦｄに付与されるＬＬＩＤであり、ブロードキャストＬＬＩＤ（＃ｋ）が設定される。
【００９１】
送信処理部１５０は、下りＬＬＩＤに従ってブロードキャストＬＬＩＤを下りフレームＦｄに付与する。また、受信処理部１５１は、上りＬＬＩＤに従って上りフレームＦｕの送信元のＯＮＵ２を判定してＣＰＵ１０に通知する。
【００９２】
再び図４を参照すると、端末管理部１０２は、登録処理部の一例であり、ＢＢＵ３からの端末情報に基づき各ＯＮＵ２と移動体端末Ｔｘの対応関係を端末管理テーブル１８１に登録する。端末情報は、その送信元のＢＢＵ３がＲＲＨ４を介して通信する移動体端末Ｔｘ、つまり通信先の移動体端末Ｔｘの端末ＩＤを示す。
【００９３】
図５には、端末管理テーブル１８１の一例が示されている。端末管理テーブル１８１の構成は、図２を参照して述べた通りである。端末管理テーブル１８１は、各ＯＮＵ２の転送処理部２８１の転送設定に用いられる。なお、ＳＲＡＭ１８は、端末管理テーブル１８１を記憶する記憶部の一例である。
【００９４】
再び図４を参照すると、転送設定部１０３は、設定処理部の一例であり、端末情報に基づき、各ＯＮＵ２において移動体端末Ｔｘを宛先とする下りフレームＦｄが受信処理部２５０から送信器２９１に転送されるように転送処理部２８１を設定する。
【００９５】
各ＯＮＵ２は、上述したように、ＢＢＵ３から受信した端末情報を含む上りフレームＦｕを、光ファイバ９０を介しＯＬＴ１に送信し、ＯＬＴ１の受信処理部１５１は、上りフレームＦｕを受信する。転送設定部１０３は、その受信した上りフレームＦｕに含まれる端末情報に基づきＯＮＵ２の転送処理部２８１を設定する。このため、転送設定部１０３は、ＢＢＵ３からＰＯＮ以外の他のネットワークを経由して端末情報を受信する場合より迅速に転送処理部２８１を設定することができる。
【００９６】
より具体的には、転送設定部１０３は、端末管理テーブル１８１に基づいて、各ＯＮＵ２の転送処理部２８１に、ＢＢＵ３の通信先の移動体端末Ｔｘの端末ＩＤを設定する。これにより、転送処理部２８１は、ＢＢＵ３の通信先の移動体端末Ｔｘを宛先とする下りフレームＦｄを受信処理部２５０から送信器２９１に転送する。
【００９７】
また、転送処理部２８１は、セルＣ１〜Ｃｎが重なるセル端に移動体端末Ｔｘが存在するために複数のＯＮＵ２に対応して登録された端末ＩＤについては、その端末ＩＤが最初に対応付けられたＯＮＵ２の転送処理部２８１だけに転送設定を行う。
【００９８】
例えば、図１の移動体端末Ｔ１２は、セルＣ２と重なるセルＣ１のセル端に存在する。このため、図５の端末管理テーブル１８１において、端末ＩＤ「Ｔ１２」はＯＮＵ−ＩＤ「＃１」及び「＃２」に対応して登録されている（点線の丸を参照）。
【００９９】
このとき、端末ＩＤ「Ｔ１２」は、最初にＯＮＵ−ＩＤ「＃１」に対応付けられて登録されたと仮定すると、転送設定部１０３は、ＯＮＵ（＃１）２の転送処理部２８１に端末ＩＤ「Ｔ１２」を転送設定するが、ＯＮＵ（＃２）２の転送処理部２８１には端末ＩＤ「Ｔ１２」を転送設定しない。このため、移動体端末Ｔ１２を宛先とする下りフレームＦｄは、ＯＮＵ（＃１）２にユニキャストで送信される。これは、ＣｏＭＰを実行する必要がない場合にＯＮＵ（＃１）２及びＯＮＵ（＃２）２に下りフレームＦｄをマルチキャストで送信すると、エラーや無駄なトラフィックが生ずるおそれがあるためである。
【０１００】
また、グループ管理部１０４は、決定部の一例であり、端末管理テーブル１８１と、マルチキャスト要求に示される移動体端末Ｔｘとに基づいて２以上のＯＮＵ２を決定する。より具体的には、グループ管理部１０４は、マルチキャスト要求に示される移動体端末Ｔｘに対応するＯＮＵ２を含むマルチキャストグループを、端末管理テーブル１８１を参照することにより生成する。このため、グループ管理部１０４は、例えばネットワーク監視制御装置からマルチキャストグループの生成の指示を受ける場合より迅速にマルチキャストグループを生成することができる。
【０１０１】
グループ管理部１０４は、ＢＢＵ３からのマルチキャスト要求に応じてマルチキャストグループを生成し、グループ管理テーブル１８２に登録する。グループ管理部１０４は、マルチキャストグループを登録した場合、動作制御部１００を介し、その旨を転送設定部１０３に通知する。
【０１０２】
図５には、グループ管理テーブル１８２の一例が示されている。グループ管理テーブル１８２には、ＯＮＵ−ＩＤ及び端末ＩＤが互いに対応付けられて登録されている。なお、マルチキャストグループに含まれるＯＮＵ２のＯＮＵ−ＩＤには丸印が示され、マルチキャストグループに含まれないＯＮＵ２のＯＮＵ−ＩＤにはバツ印が示されている。
【０１０３】
本例では、端末ＩＤ「Ｔ１２」が、ＯＮＵ（＃１）２とＯＮＵ（＃２）が属するマルチキャストグループに対応付けられている。このため、ＯＮＵ（＃１）２とＯＮＵ（＃２）２に共通の移動体端末Ｔ１２を宛先とする下りフレームＦｄが送信される。これにより、移動体端末Ｔ１２は、ＯＮＵ（＃１）２とＯＮＵ（＃２）２から同一の下りフレームＦｄを受信し、ＣｏＭＰの技術に基づく通信を行うことができる。
【０１０４】
転送設定部１０３は、マルチキャスト要求に応じてグループ管理テーブル１８２にマルチキャストグループが登録されると、マルチキャストグループに属する各ＯＮＵ２の転送処理部２８１に対しグループ管理テーブル１８２に基づく転送設定を行う。上記の例の場合、転送設定部１０３は、ＯＮＵ（＃１）２に対応するＢＢＵ３からのマルチキャスト要求に応じて、ＯＮＵ（＃１）２及びＯＮＵ（＃２）２の各転送処理部２８１に端末ＩＤ「Ｔ１２」を設定する。ここで、マルチキャスト要求には、セル端に存在し、ＣｏＭＰの通信の対象となる移動体端末Ｔ１２の端末ＩＤ「Ｔ１２」が示されている。
【０１０５】
より具体的には、転送設定部１０３は、転送処理部２８１の転送設定を指示する制御メッセージを送信処理部１５０に出力する。送信処理部１５０は、その制御メッセージを含む制御フレームを生成して各ＯＮＵ２に送信する。このため、転送設定部１０３は、転送設定部１０３をＰＯＮ以外のネットワーク経由で設定する場合より迅速に転送処理部２８１の転送設定を行うことができる。
【０１０６】
このように、転送設定部１０３は、ＢＢＵ３からの要求に応じ、２以上のＯＮＵ２において、共通の移動体端末Ｔｘを宛先とする下りフレームＦｄが受信処理部２５０から送信器２９１に転送されるように転送処理部２８１を設定する。このため、ＯＬＴ１は、比較例とは異なり、マルチキャストグループに共通のＬＬＩＤを設定する手間が省けるので、移動体端末Ｔｘの移動に応じてマルチキャストグループを迅速に変更することができる。
【０１０７】
また、各ＯＮＵ２は、ＢＢＵ３からのマルチキャスト要求を含む上りフレームＦｕを、光ファイバ９０を介しＯＬＴ１に送信し、転送設定部１０３は、受信処理部１５１が受信した上りフレームＦｕからマルチキャスト要求を取得する。このため、転送設定部１０３は、例えばネットワーク監視制御装置からマルチキャスト要求を取得する場合より迅速にマルチキャスト要求を取得することができる。
【０１０８】
次にＯＬＴ１の下りフレームＦｄの送信例について述べる。
【０１０９】
図６は、ユニキャスト送信の一例を示す図である。図６において、図１と共通する構成には同一の符号を付し、その説明は省略する。なお、太い点線は、移動体端末Ｔｎを宛先とする下りフレームＦｄの経路を示す。
【０１１０】
本例において、ＯＮＵ（＃１）２に対応するセルＣ１には、移動体端末Ｔ１０，Ｔ１１，Ｔｎが存在し、ＯＮＵ（＃２）２に対応するセルＣ２には、移動体端末Ｔ２０，Ｔ２１が存在する。また、ＯＮＵ（＃３）２に対応するセルＣ３には、移動体端末Ｔ３０，Ｔ３１が存在し、ＯＮＵ（＃ｎ）２に対応するセルＣｎには、移動体端末Ｔｘが存在しない。また、何れの移動体端末Ｔ１０，Ｔ１１，Ｔｎ，Ｔ２０，Ｔ２１，Ｔ３０，Ｔ３１もセル端には位置しない。
【０１１１】
図９の符号Ｇａは、本例における端末管理テーブル１８１を示す。端末管理テーブル１８１において、移動体端末Ｔ１０，Ｔ１１，ＴｎはＯＮＵ（＃１）２に対応付けられ、移動体端末Ｔ２０，Ｔ２１はＯＮＵ（＃２）２に対応付けられ、移動体端末Ｔ３０，Ｔ３１はＯＮＵ（＃３）２に対応付けられている。以下に、移動体端末Ｔｎの移動に伴う転送処理部２８１の転送設定の変更について述べる。
【０１１２】
再び図６を参照すると、ＯＬＴ１の送信処理部１５０は、全ての下りフレームＦｄにブロードキャストＬＬＩＤ（＃ｋ）を付与し、下りフレームＦｄを各ＯＮＵ（＃１〜＃ｎ）２に送信する。このため、各ＯＮＵ２の受信処理部２５０は、同じ下りフレームＦｄをそれぞれ受信する。
【０１１３】
ＯＬＴ１の転送設定部１０３は、セルＣ１内の移動体端末Ｔｎを宛先とする下りフレームＦｄが、ＯＮＵ（＃１）２において、受信処理部２５０から送信器２９１に転送されるように転送処理部２８１の転送設定を行う。より具体的には、転送設定部１０３は、ＢＢＵ（＃１）３からの端末情報に基づき、端末ＩＤ「Ｔｎ」をＯＮＵ（＃１）２の転送処理部２８１に設定する。
【０１１４】
図１０の符号Ｇｄは、ＯＮＵ（＃１）２、ＯＮＵ（＃２）２、及びＯＮＵ（＃３）２の各転送テーブル２４０を示す。ＯＮＵ（＃１）２の転送テーブル２４０には、端末ＩＤ「Ｔ１０」，「Ｔ１１」，「Ｔｎ」が登録されている。このため、ＯＮＵ（＃１）２の転送処理部２８１は、移動体端末Ｔ１０，Ｔ１１，Ｔｎを宛先とする下りフレームＦｄを受信処理部２５０から送信器２９１に転送する。したがって、移動体端末Ｔ１０，Ｔ１１，Ｔｎは、自装置宛ての下りフレームＦｄをＯＮＵ（＃１）２経由で受信することができる。
【０１１５】
ＯＮＵ（＃２）２の転送テーブル２４０には、端末ＩＤ「Ｔ２０」，「Ｔ２１」が登録されている。このため、ＯＮＵ（＃２）２の転送処理部２８１は、移動体端末Ｔ２０，Ｔ２１を宛先とする下りフレームＦｄを受信処理部２５０から送信器２９１に転送する。したがって、移動体端末Ｔ２０，Ｔ２１は、自装置宛ての下りフレームＦｄをＯＮＵ（＃２）２経由で受信することができる。
【０１１６】
ＯＮＵ（＃３）２の転送テーブル２４０には、端末ＩＤ「Ｔ３０」，「Ｔ３１」が登録されている。このため、ＯＮＵ（＃３）２の転送処理部２８１は、移動体端末Ｔ３０，Ｔ３１を宛先とする下りフレームＦｄを受信処理部２５０から送信器２９１に転送する。したがって、移動体端末Ｔ３０，Ｔ３１は、自装置宛ての下りフレームＦｄをＯＮＵ（＃３）２経由で受信することができる。ＯＮＵ（＃２〜＃ｎ）２の転送処理部２８１は、端末ＩＤ「Ｔｎ」が設定されていないため、移動体端末Ｔｎを宛先とする下りフレームＦｄを廃棄する。
【０１１７】
このように、ＯＬＴ１は、移動体端末Ｔｎがセル端に位置しない場合、移動体端末Ｔｎに対応するＯＮＵ（＃１）２に対して下りフレームＦｄをユニキャストで送信する。
【０１１８】
図７は、マルチキャスト送信の一例を示す図である。図７において、図１と共通する構成には同一の符号を付し、その説明は省略する。なお、太い点線は、移動体端末Ｔｎを宛先とする下りフレームＦｄの経路を示す。
【０１１９】
移動体端末Ｔｎは、図６の位置から、セルＣ２と重なるセル端に移動している。
【０１２０】
図９の符号Ｇｂは、本例における端末管理テーブル１８１を示す。移動体端末Ｔｎは、点線の丸で示されるように、移動に伴ってＯＮＵ（＃１）２及びＯＮＵ（＃２）２に対応付けられている。このとき、ＯＬＴ１は、上述したように、エラーや無駄なトラフィックが生じないように、マルチキャスト要求を受けるまで、ＯＮＵ（＃２）２の転送処理部２８１に転送処理の指示を行わない。
【０１２１】
再び図７を参照すると、セルＣ１のＢＢＵ（＃１）３は、例えばＳＮ比などに基づき、移動体端末Ｔｎがセル端に位置することでＣｏＭＰの通信が必要であると判定し、ＯＬＴ１に対しマルチキャスト要求を含む上りフレームＦｕを送信する（一点鎖線参照）。なお、マルチキャスト要求には、ＣｏＭＰの対象の移動体端末Ｔｎの端末ＩＤ「Ｔｎ」が示されている。
【０１２２】
ＯＬＴ１のグループ管理部１０４は、マルチキャスト要求に応じ、要求元のＢＢＵ３に対応するＯＮＵ（＃１）２とＯＮＵ（＃２）２とを含むマルチキャストグループを端末管理テーブル１８１に基づいて決定する。より具体的には、グループ管理部１０４は、図９の符号Ｇｂで示される端末管理テーブル１８１から、共通の端末ＩＤ「Ｔｎ」に対応するＯＮＵ−ＩＤ「＃１」及び「＃２」を検索することによりマルチキャストグループを決定する。
【０１２３】
グループ管理部１０４は、図７に示されるように、ＯＮＵ（＃１）２とＯＮＵ（＃２）２のマルチキャストグループをグループ管理テーブル１８２に登録する。また、転送設定部１０３は、グループ管理テーブル１８２に基づいてＯＮＵ（＃１）２及びＯＮＵ（＃２）２の各転送処理部２８１に端末ＩＤ「Ｔｎ」を設定する。
【０１２４】
ＯＬＴ１の転送設定部１０３は、セル端に位置する移動体端末Ｔｎを宛先とする下りフレームＦｄが、ＯＮＵ（＃１）２及びＯＮＵ（＃２）２において、受信処理部２５０から送信器２９１に転送されるように各転送処理部２８１の転送設定を行う。
【０１２５】
図１０の符号Ｇｅは、ＯＮＵ（＃１）２、ＯＮＵ（＃２）２、及びＯＮＵ（＃３）２の各転送テーブル２４０を示す。ＯＮＵ（＃１）２及びＯＮＵ（＃２）２の各転送テーブル２４０には、点線の丸で示されるように、共通の端末ＩＤ「Ｔｎ」が登録されている。このため、移動体端末Ｔｎは、自装置宛ての下りフレームＦｄをＯＬＴ１からＯＮＵ（＃１）２及びＯＮＵ（＃２）２経由で受信することができる。
【０１２６】
一方、他のＯＮＵ（＃３〜＃ｎ）２の転送処理部２８１は、端末ＩＤ「Ｔｎ」が設定されていないため、移動体端末Ｔｎを宛先とする下りフレームＦｄを廃棄する（バツ印参照）。
【０１２７】
このように、ＯＬＴ１は、移動体端末Ｔｎがセル端に位置する場合、ＢＢＵ３からマルチキャスト要求に応じ、そのＢＢＵ３に対応するＯＮＵ２を含む複数のＯＮＵ２に対し下りフレームＦｄをマルチキャストで送信する。
【０１２８】
図８は、マルチキャスト送信の他の例を示す図である。図８において、図１と共通する構成には同一の符号を付し、その説明は省略する。なお、太い点線は、移動体端末Ｔｎを宛先とする下りフレームＦｄの経路を示す。
【０１２９】
移動体端末Ｔｎは、図７の位置からセルＣ２，Ｃ３と重なるセル端に移動している。
【０１３０】
図９の符号Ｇｃは、本例における端末管理テーブル１８１を示す。移動体端末Ｔｎは、点線の丸で示されるように、移動に伴ってＯＮＵ（＃１）２、ＯＮＵ（＃２）２、及びＯＮＵ（＃３）２に対応付けられている。このとき、ＯＬＴ１は、上述したように、エラーや無駄なトラフィックが生じないように、マルチキャスト要求を受けるまで、ＯＮＵ（＃３）２の転送処理部２８１に転送処理の指示を行わない。
【０１３１】
再び図８を参照すると、セルＣ２のＢＢＵ（＃２）３（またはセルＣ１のＢＢＵ（＃１）３）は、例えばＳＮ比などに基づき、移動体端末Ｔｎがセル端に位置することでＣｏＭＰの通信が必要であると判定し、ＯＬＴ１に対しマルチキャスト要求を含む上りフレームＦｕを送信する（一点鎖線参照）。なお、マルチキャスト要求には、ＣｏＭＰの対象の移動体端末Ｔｎの端末ＩＤ「Ｔｎ」が示されている。
【０１３２】
ＯＬＴ１のグループ管理部１０４は、マルチキャスト要求に応じ、要求元のＢＢＵ３に対応するＯＮＵ（＃２）２とＯＮＵ（＃１）２とＯＮＵ（＃３）２とを含むマルチキャストグループを端末管理テーブル１８１に基づいて決定する。より具体的には、グループ管理部１０４は、図９の符号Ｇｂで示される端末管理テーブル１８１から、共通の端末ＩＤ「Ｔｎ」に対応するＯＮＵ−ＩＤ「＃１」、「＃２」、及び「＃３」を検索することによりマルチキャストグループを決定する。
【０１３３】
グループ管理部１０４は、図８に示されるように、ＯＮＵ（＃１）２、ＯＮＵ（＃２）２、及びＯＮＵ（＃３）２のマルチキャストグループをグループ管理テーブル１８２に登録する。また、ＯＬＴ１の転送設定部１０３は、グループ管理テーブル１８２に基づいてＯＮＵ（＃１）２、ＯＮＵ（＃２）２、及びＯＮＵ（＃３）２の各転送処理部２８１に端末ＩＤ「Ｔｎ」を設定する。
【０１３４】
ＯＬＴ１の転送設定部１０３は、セル端に位置する移動体端末Ｔｎを宛先とする下りフレームＦｄが、ＯＮＵ（＃１）２、ＯＮＵ（＃２）２、及びＯＮＵ（＃３）２において、受信処理部２５０から送信器２９１に転送されるように各転送処理部２８１の転送設定を行う。
【０１３５】
図１０の符号Ｇｆは、ＯＮＵ（＃１）２、ＯＮＵ（＃２）２、及びＯＮＵ（＃３）２の各転送テーブル２４０を示す。ＯＮＵ（＃１）２、ＯＮＵ（＃２）２、及びＯＮＵ（＃３）２の各転送テーブル２４０には、点線の丸で示されるように、共通の端末ＩＤ「Ｔｎ」が登録されている。このため、移動体端末Ｔｎは、自装置宛ての下りフレームＦｄをＯＬＴ１からＯＮＵ（＃１）２、ＯＮＵ（＃２）２、及びＯＮＵ（＃３）２経由で受信することができる。
【０１３６】
一方、他のＯＮＵ（＃４〜＃ｎ）２の転送処理部２８１は、端末ＩＤ「Ｔｎ」が設定されていないため、移動体端末Ｔｎを宛先とする下りフレームＦｄを廃棄する（バツ印参照）。
【０１３７】
このように、ＯＬＴ１は、移動体端末Ｔｎが移動した場合、ＢＢＵ３からマルチキャスト要求に応じ、ＬＬＩＤの設定変更を行うことなく、転送処理部２８１の転送設定を変更することによりマルチキャストグループを迅速に変更することができる。
【０１３８】
図１１は、第１実施例におけるＯＬＴ１とＯＮＵ２の間の通信処理を示すシーケンス図である。本例は、図６のユニキャスト送信及び図７のマルチキャスト送信の各例に対応する。
【０１３９】
ＯＬＴ１において、リンク制御部１０１は、送信処理部１５０に対し、下りフレームＦｄにブロードキャストＬＬＩＤを付与するように設定し、送信処理部１５０は設定を完了すると応答をリンク制御部１０１に出力する。なお、ブロードキャストＬＬＩＤの設定は、一度実行された後、ＯＬＴ１が再起動されるまで不要である。
【０１４０】
次に、ＢＢＵ（＃１）３は、端末情報を含む上りフレームＦｕをＯＬＴ１に送信する。上りフレームＦｕは、ＯＮＵ（＃１）２の送信処理部１５０、ＯＬＴ１の受信処理部１５１を介し端末管理部１０２に入力される。端末管理部１０２は、端末情報に基づき端末管理テーブル１８１に端末ＩＤを登録する。端末管理部１０２は、端末ＩＤの登録を転送設定部１０３に通知する。
【０１４１】
次に、転送設定部１０３は、通知を受けると、ＯＮＵ（＃１）２にユニキャスト送信を行うため、転送処理部２８１の転送設定を指示する制御メッセージを生成し送信処理部１５０に出力する。送信処理部１５０は、制御メッセージを含む制御フレームを生成してＯＮＵ（＃１）２に送信する。
【０１４２】
ＯＮＵ（＃１）２において、受信処理部２５０は、例えばＤＡに基づいて自装置宛ての制御フレームを検出し、制御フレームから制御メッセージを取得して転送制御部２０２に出力する。転送制御部２０２は、制御メッセージ内の転送設定の指示に従い転送処理部２８１の転送設定を行う。
【０１４３】
また、ＯＬＴ１は、ＯＮＵ（＃２）２に対しても、上記と同様の手順で転送処理部２８１の転送設定を行う。その後、ＯＬＴ１は、ＯＮＵ（＃１）２及びＯＮＵ（＃２）２にそれぞれユニキャスト送信を開始する。
【０１４４】
移動体端末Ｔｎが、図７の位置に移動すると、ＢＢＵ（＃１）３は、ＳＮ比などの条件に基づきＣｏＭＰ通信の要否を判定する。ＢＢＵ（＃１）３は、ＣｏＭＰ通信を行う場合、マルチキャスト要求を含む上りフレームＦｕをＯＬＴ１に送信する。
【０１４５】
上りフレームＦｕは、ＯＮＵ（＃１）２の送信処理部２５１を介しＯＬＴ１の受信処理部１５１に入力される。受信処理部１５１は、上りフレームＦｕから所定の識別子によりマルチキャスト要求を検出し、グループ管理部１０４に出力する。
【０１４６】
グループ管理部１０４は、マルチキャスト要求に応じ端末管理テーブル１８１に基づいてマルチキャストグループを決定してグループ管理テーブル１８２に登録する。グループ管理部１０４は、マルチキャストグループの登録を転送設定部１０３に通知する。
【０１４７】
転送設定部１０３は、通知を受けると、ＯＮＵ（＃１）２及びＯＮＵ（＃２）２にマルチキャスト送信を行うため、ＯＮＵ（＃１）２及びＯＮＵ（＃２）２の各転送処理部２８１の転送設定を指示する制御メッセージを生成し送信処理部１５０に出力する。送信処理部１５０は、制御メッセージを含む制御フレームを生成してＯＮＵ（＃１）２及びＯＮＵ（＃２）２に送信する。
【０１４８】
ＯＮＵ（＃１）２において、受信処理部２５０は、例えばＤＡに基づいて自装置宛ての制御フレームを検出し、制御フレームから制御メッセージを取得して転送制御部２０２に出力する。転送制御部２０２は、制御メッセージ内の転送設定の指示に従い転送処理部２８１の転送設定を行う。また、ＯＮＵ（＃２）２の転送制御部２０２も、ＯＮＵ（＃１）２と同様に、制御メッセージ内の転送設定の指示に従い転送処理部２８１の転送設定を行う。その後、ＯＬＴ１は、ＯＮＵ（＃１）２及びＯＮＵ（＃２）２にマルチキャスト送信を開始する。
【０１４９】
図１２は、比較例におけるＯＬＴ１とＯＮＵ２の間の通信処理を示すシーケンス図である。本例は、図６のユニキャスト送信及び図７のマルチキャスト送信の各例に対応する。
【０１５０】
ＯＮＵ（＃１）２において、リンク処理部２０１は、個別のＬＬＩＤの登録を要求する制御メッセージを生成して送信処理部２５１に出力する。送信処理部２５１は、制御メッセージを含む制御フレームを生成してＯＬＴ１に送信する。
【０１５１】
ＯＬＴ１において、受信処理部１５１は、制御フレームを受信し、制御フレームから制御メッセージを取得してリンク制御部１０１に出力する。リンク制御部１０１は、ＯＮＵ（＃１）２のＬＬＩＤを送信処理部１５０に設定する。送信処理部１５０は、設定が完了すると、応答をリンク制御部１０１に出力する。
【０１５２】
次に、リンク制御部１０１は、ＬＬＩＤを通知する制御メッセージを生成して送信処理部２５１に出力する。送信処理部１５０は、制御メッセージを含む制御フレームを生成してＯＮＵ（＃１）２に送信する。
【０１５３】
ＯＮＵ（＃１）２において、受信処理部２５０は、例えばＤＡに基づいて自装置宛ての制御フレームを検出し、制御フレームから制御メッセージを取得してリンク処理部２０１に出力する。リンク処理部２０１は、制御メッセージ内のＬＬＩＤの通知に従いＬＬＩＤの設定を行う。
【０１５４】
また、ＯＬＴ１は、ＯＮＵ（＃２）２に対しても、上記と同様の手順でＬＬＩＤの割り当てを行う。その後、ＯＬＴ１は、ＯＮＵ（＃１）２及びＯＮＵ（＃２）２にそれぞれユニキャスト送信を開始する。
【０１５５】
移動体端末Ｔｎの移動により、ＢＢＵ（＃１）３は、ＣｏＭＰ通信を行う場合、マルチキャスト要求を含む上りフレームＦｕをＯＬＴ１に送信する。上りフレームＦｕは、ＯＮＵ（＃１）２の送信処理部２５１を介しＯＬＴ１の受信処理部１５１に入力される。受信処理部１５１は、上りフレームＦｕから所定の識別子によりマルチキャスト要求を検出し、リンク制御部１０１に出力する。
【０１５６】
リンク制御部１０１は、マルチキャスト要求に応じ、ＯＮＵ（＃１）２及びＯＮＵ（＃２）２のマルチキャストグループを決定し、マルチキャストグループ内の共通のＬＬＩＤを送信処理部１５０に設定する。送信処理部１５０は、設定が完了すると、応答をリンク制御部１０１に出力する。
【０１５７】
次に、リンク制御部１０１は、マルチキャストのＬＬＩＤを通知する制御メッセージを生成して送信処理部２５１に出力する。送信処理部１５０は、制御メッセージを含む制御フレームを生成してＯＮＵ（＃１）２に送信する。
【０１５８】
ＯＮＵ（＃１）２において、受信処理部２５０は、例えばＤＡに基づいて自装置宛ての制御フレームを検出し、制御フレームから制御メッセージを取得してリンク処理部２０１に出力する。リンク処理部２０１は、制御メッセージ内のＬＬＩＤの通知に従いＬＬＩＤの設定を行う。また、ＯＬＴ１は、ＯＮＵ（＃２）２に対しても、上記と同様の手順でマルチキャスト送信用のＬＬＩＤの割り当てを行う。
【０１５９】
次に、ＯＬＴ１において、リンク制御部１０１は、送信処理部１５０に対し、移動体端末Ｔｎを宛先とする下りフレームＦｄのＬＬＩＤを、ユニキャスト送信用のＬＬＩＤ（個別のＬＬＩＤ）からマルチキャスト送信用のＬＬＩＤに変更する設定を行う。送信処理部１５０は、設定が完了すると、応答をリンク制御部１０１に出力する。その後、ＯＬＴ１は、ＯＮＵ（＃１）２及びＯＮＵ（＃２）２にマルチキャスト送信を開始する。
【０１６０】
このように、比較例では、送信処理部１５０に対するＬＬＩＤの設定処理が複数回にわたって行われるため、マルチキャストグループを変更するために多くの時間が必要となる。これに対し、第１実施例では、ブロードキャストＬＬＩＤの設定が最初に行われるが、マルチキャストグループの変更時にはＬＬＩＤの設定処理が不要であるため、変更処理の所要時間が比較例より短縮される。
【０１６１】
次に、ＯＬＴ１及びＯＮＵ２の各処理について述べる。
【０１６２】
図１３は、ＯＬＴ１の下りフレームＦｄの送信処理の一例を示すフローチャートである。リンク制御部１０１は、ブロードキャストＬＬＩＤを送信処理部１５０に設定する（ステップＳｔ１）。次に、ＮＷ−ＩＦ１４は、コアネットワークＮＷからデータを受信し（ステップＳｔ２）、データから下りフレームＦｄを生成する（ステップＳｔ３）。
【０１６３】
次に、送信処理部１５０は、下りフレームＦｄにブロードキャストＬＬＩＤを付与する（ステップＳｔ４）。次に、送信処理部１５０は、下りフレームＦｄを送信する（ステップＳｔ５）。その後、再びステップＳｔ２以降の各処理が実行される。このようにして、ＯＬＴ１は、下りフレームＦｄの送信処理を実行する。
【０１６４】
図１４は、ＯＬＴ１の上りフレームＦｕの受信処理の一例を示すフローチャートである。受信処理部１５１は、ＯＮＵ２から上りフレームＦｕを受信する（ステップＳｔ１１）。受信処理部１５１は、所定の識別子に基づき上りフレームＦｕに端末情報が含まれるか否かを判定する（ステップＳｔ１２）。
【０１６５】
端末情報が含まれる場合（ステップＳｔ１２のＹｅｓ）、端末管理部１０２は、端末情報に基づき端末管理テーブル１８１の端末ＩＤを更新する（ステップＳｔ１３）。次に、転送設定部１０３は、端末管理テーブル１８１に、登録した端末ＩＤと同一の端末ＩＤが登録されているか否かを判定する（ステップＳｔ１４）。
【０１６６】
転送設定部１０３は、同一の端末ＩＤが登録されていない場合（ステップＳｔ１４のＹｅｓ）、端末ＩＤに該当するＯＮＵ２の転送処理部２８１の転送設定を指示する（ステップＳｔ１５）。これにより、その端末ＩＤの移動体端末Ｔｘを宛先とする下りフレームＦｄが、ＯＬＴ１からＯＮＵ２にユニキャストで送信される。
【０１６７】
また、転送設定部１０３は、同一の端末ＩＤが登録されている場合（ステップＳｔ１４のＮｏ）、転送設定を行わずに、処理を終了する。
【０１６８】
また、受信処理部１５１は、端末情報が含まれない場合（ステップＳｔ１２のＮｏ）、所定の識別子に基づき上りフレームＦｕにマルチキャスト要求が含まれるか否かを判定する（ステップＳｔ１６）。マルチキャスト要求が含まれる場合（ステップＳｔ１６のＹｅｓ）、グループ管理部１０４は、マルチキャスト要求が示す端末ＩＤに対応するＯＮＵ２（ＯＮＵ−ＩＤ）を端末管理テーブル１８１から検索する（ステップＳｔ１７）。
【０１６９】
グループ管理部１０４は、検索されたＯＮＵ２が複数であるか否かを判定する（ステップＳｔ１８）。グループ管理部１０４は、ＯＮＵ２が複数である場合（ステップＳｔ１８のＹｅｓ）、グループ管理テーブル１８２に各ＯＮＵ２を登録する（ステップＳｔ１９）。次に、転送設定部１０３は、該当するＯＮＵ２の転送処理部２８１の転送設定を指示する（ステップＳｔ２０）。また、グループ管理部１０４は、ＯＮＵ２が単数である場合（ステップＳｔ１８のＮｏ）、ＯＮＵ２を登録せずに処理を終了する。
【０１７０】
また、受信処理部１５１は、マルチキャスト要求が含まれない場合（ステップＳｔ１６のＮｏ）、所定の識別子に基づき上りフレームＦｕにマルチキャスト停止要求が含まれるか否かを判定する（ステップＳｔ２１）。ＢＢＵ３は、移動体端末Ｔｘの移動によりＣｏＭＰ通信が不要となった場合、マルチキャスト送信を停止するためにマルチキャスト停止要求をＯＬＴ１に送信する。
【０１７１】
グループ管理部１０４は、マルチキャスト停止要求が含まれる場合（ステップＳｔ２１のＹｅｓ）、グループ管理テーブル１８２から、該当するＯＮＵ２を削除する（ステップＳｔ２２）。次に、転送設定部１０３は、該当するＯＮＵ２の転送処理部２８１の転送設定を指示する（ステップＳｔ２３）。
【０１７２】
また、受信処理部１５１は、マルチキャスト停止要求が含まれていない場合（ステップＳｔ２１のＮｏ）、上りフレームＦｕを、ＮＷ−ＩＦ１４を介しコアネットワークＮＷに送信する（ステップＳｔ２４）。このようにして、ＯＬＴ１は上りフレームＦｕの受信処理を実行する。
【０１７３】
図１５は、ＯＮＵ２の下りフレームＦｄの受信処理の一例を示すフローチャートである。受信処理部２５０は、ＯＬＴ１から下りフレームＦｄを受信する（ステップＳｔ３１）。下りフレームＦｄにはブロードキャストＬＬＩＤが付与されているため、受信処理部２５０は、全ての下りフレームＦｄを受信する。次に、受信処理部２５０は、下りフレームＦｄからブロードキャストＬＬＩＤを削除する（ステップＳｔ３２）。
【０１７４】
次に、受信処理部２５０は、所定の識別子に基づき下りフレームＦｄに転送設定の指示の制御メッセージが含まれているか否かを判定する（ステップＳｔ３３）。転送制御部２０２は、転送設定の指示の制御メッセージが含まれている場合（ステップＳｔ３３のＹｅｓ）、指示に従い転送テーブル２４０を更新して転送処理部２８１を設定する（ステップＳｔ３４）。
【０１７５】
また、受信処理部２５０は、転送設定の指示の制御メッセージが含まれていない場合（ステップＳｔ３３のＮｏ）、下りフレームＦｄを転送処理部２８１に出力する（ステップＳｔ３５）。次に、転送処理部２８１は、下りフレームＦｄの宛先を検出する（ステップＳｔ３６）。
【０１７６】
転送処理部２８１は、宛先に基づいて下りフレームＦｄを送信器２９１に転送可能であるか判定する（ステップＳｔ３７）。より具体的には、転送処理部２８１は、宛先が、ＯＬＴ１から転送設定で指示された端末ＩＤに該当するか否かを判定する。
【０１７７】
転送処理部２８１は、転送可能である場合（ステップＳｔ３７のＹｅｓ）、下りフレームＦｄを送信器２９１に転送する（ステップＳｔ３８）。次に、送信器２９１は、下りフレームＦｄをＢＢＵ３に送信する（ステップＳｔ３９）。
【０１７８】
また、転送処理部２８１は、転送不可能である場合（ステップＳｔ３７のＮｏ）、下りフレームＦｄを廃棄する（ステップＳｔ４０）。このようにして、ＯＮＵ２は下りフレームＦｄの受信処理を実行する。なお、上記の各処理は伝送方法の一例である。
【０１７９】
（第２実施例）
第１実施例において、ＯＬＴ１は、ブロードキャストＬＬＩＤを用いたが、事前に設定済みのマルチキャスト送信用のＬＬＩＤを用いてもよい。この場合、ＯＬＴ１は、ＢＢＵ３からのマルチキャスト要求に応じて付与対象のＬＬＩＤを変更すればよいため、ＯＮＵ２に対するマルチキャスト設定の手間が省ける。このため、移動体端末Ｔｘの移動に応じてマルチキャストグループを迅速に変更することが可能となる。以下に、第１実施例との差分を主に説明する。
【０１８０】
図１６は、第２実施例のＯＮＵ２を示す構成図である。図１６において、図３と共通する構成には同一の符号を付し、その説明は省略する。
【０１８１】
ＯＮＵ２は、ＣＰＵ２０と、ＲＯＭ２１と、ＲＡＭ２２と、ＨＷ−ＩＦ２３と、ＳＲＡＭ２４とを有する。また、ＯＮＵ２は、光合分波部２８０と、光−電気変換部（Ｏ／Ｅ）２７０と、電気−光変換部（Ｅ／Ｏ）２７１と、受信処理部２５０と、送信処理部２５１と、受信器２９０と、送信器２９１とを有する。
【０１８２】
受信処理部２５０は、受信部の一例であり、ＬＬＩＤが付与された下りフレームＦｄを、光ファイバ９０を介し受信する。より具体的には、受信処理部２５０は、ＯＬＴ１から割り当てられたＯＮＵ２ごとの個別のＬＬＩＤ、ブロードキャストＬＬＩＤ、またはマルチキャストグループのＬＬＩＤが付与された下りフレームＦｄを受信し、他のＬＬＩＤが付与された下りフレームＦｄを廃棄する。
【０１８３】
送信器２９１は、第３送信部の一例であり、受信処理部２５０が受信した下りフレームＦｄを、１以上の移動体端末Ｔｘと通信するＢＢＵ３及びＲＲＨ４に送信する。
【０１８４】
ＳＲＡＭ２４には、受信処理部２５０において受信する下りフレームＦｄのＬＬＩＤが登録されたＬＬＩＤリスト２４１が格納されている。ＬＬＩＤリスト２４１には、ＣＰＵ２０からＬＬＩＤが登録される。
【０１８５】
ＣＰＵ２０は、ＲＯＭ２１からプログラムを読み込むと、機能として、動作制御部２００及びリンク処理部２０１が形成される。リンク処理部２０１は、ＯＬＴ１からのＬＬＩＤの通知に応じて、ＬＬＩＤをＬＬＩＤリスト２４１に登録する。リンク処理部２０１は、ＬＬＩＤリスト２４１に登録されたＬＬＩＤが付与された下りフレームＦｄが受信されるように受信処理部２５０を設定する。
【０１８６】
ＯＬＴ１は、予めマルチキャスト送信用のＬＬＩＤを、該当するマルチキャストグループの各ＯＮＵ２に設定する。このため、ＬＬＩＤリスト２４１には、マルチキャスト送信用のＬＬＩＤが登録されている。なお、マルチキャスト送信用のＬＬＩＤの設定のシーケンスは、例えば図１２に示される通りである。
【０１８７】
図１７は、第２実施例のＯＬＴ１を示す構成図である。図１７において、図４と共通する構成には同一の符号を付し、その説明は省略する。ＯＬＴ１は、光インターフェースユニット１ａと、制御ユニット１ｂとを有する。
【０１８８】
光インターフェースユニット１ａは、ＮＷ−ＩＦ１４と、光合分波部１７と、送信処理部１５０と、受信処理部１５１と、電気−光変換部（Ｅ／Ｏ）１６０と、光−電気変換部（Ｏ／Ｅ）１６１とを有する。制御ユニット１ｂは、ＣＰＵ１０と、ＲＯＭ１１と、ＲＡＭ１２と、ＨＷ−ＩＦ１３と、ＳＲＡＭ１８とを有する。
【０１８９】
送信処理部１５０は、第４送信部の一例であり、下りフレームＦｄの宛先の移動体端末Ｔｘに応じたＬＬＩＤをフレームに付与し、下りフレームＦｄを複数のＯＮＵ２にそれぞれ送信する。ＯＮＵ２は、上述したように、ＬＬＩＤリスト２４１に登録されたＬＬＩＤの下りフレームＦｄだけを受信する。なお、送信処理部２５１が付与するＬＬＩＤは、リンク制御部１０１ａにより設定される。
【０１９０】
ＳＲＡＭ１８には、リンク管理テーブル１８０ａと、端末管理テーブル１８１と、グループ管理テーブル１８２ａとが格納されている。なお、ＳＲＡＭ１８は、グループ管理テーブル１８２ａを記憶する記憶部の一例である。
【０１９１】
ＣＰＵ１０は、ＲＯＭ１１からプログラムを読み込むと、機能として、動作制御部１００、リンク制御部１０１ａ、端末管理部１０２、グループ検索部１０５、及びグループ設定部１０６が形成される。動作制御部１００は、ＯＬＴ１の全体の動作を制御し、所定のシーケンスに従いリンク制御部１０１ａ、端末管理部１０２、グループ検索部１０５、及びグループ設定部１０６に動作を指示する。なお、動作制御部１００、リンク制御部１０１ａ、端末管理部１０２、グループ検索部１０５、及びグループ設定部１０６は、例えばＦＰＧＡやＡＳＩＣなどの論理回路から構成されてもよい。
【０１９２】
リンク制御部１０１ａは、ＯＮＵ２との間で所定の制御メッセージを送受信することによりＯＮＵ２とのリンクを確立する。リンク制御部１０１ａは、リンクを確立したＯＮＵ２との間で用いるＬＬＩＤをリンク管理テーブル１８０ａに登録し、リンク管理テーブル１８０ａに基づき送信処理部１５０及び受信処理部１５１にＬＬＩＤを設定する。このＬＬＩＤには、ＯＮＵ２ごとの個別のＬＬＩＤ及びマルチキャストグループごとのＬＬＩＤが含まれる。
【０１９３】
グループ検索部１０５は、ＢＢＵ３からのマルチキャスト要求に応じ、マルチキャスト要求に示される端末ＩＤに対応する複数のＯＮＵ２を端末管理テーブル１８１から検索し、その複数のＯＮＵ２が属するマルチキャストグループのＬＬＩＤをグループ管理テーブル１８２ａから検索する。
【０１９４】
すなわち、グループ検索部１０５は、検索部の一例であり、ＢＢＵ３からの要求に応じ、要求元のＢＢＵ３に応じたマルチキャストグループに対応するＬＬＩＤをグループ管理テーブルから検索する。グループ検索部１０５は、マルチキャストグループのＬＬＩＤをリンク制御部１０１ａに通知する。なお、マルチキャストグループは、２以上のＯＮＵ２が属するグループの一例である。
【０１９５】
リンク制御部１０１ａは、通知に応じ、マルチキャスト要求に示される端末ＩＤの移動体端末Ｔｘを宛先とする下りフレームＦｄのＬＬＩＤを、個別のＬＬＩＤからマルチキャストグループのＬＬＩＤに変更する。
【０１９６】
グループ設定部１０６は、セルＣ１〜Ｃｎの配置などに基づいて予めマルチキャストグループを設定する。グループ設定部１０６は、マルチキャストグループに属する複数のＯＮＵ２とＬＬＩＤの対応関係をグループ管理テーブル１８２ａに登録する。
【０１９７】
図１８は、リンク管理テーブル１８０ａ及びグループ管理テーブル１８２ａの一例を示す図である。リンク管理テーブル１８０ａには、ＯＮＵ−ＩＤ、リンク状態、上りＬＬＩＤ、及び下りＬＬＩＤが登録されている。下りＬＬＩＤには、第１実施例とは異なり、ブロードキャストＬＬＩＤではなく、個別のＬＬＩＤが登録される。このため、送信処理部１５０は、ユニキャスト送信を行う場合、個別のＬＬＩＤを下りフレームＦｄに付与する。
【０１９８】
グループ管理テーブル１８２ａは、図２に示されたものと同一の構成を有する。グループ設定部１０６は、例えばセルＣ１〜Ｃｎ同士の位置関係から、予め複数のＯＮＵ２が属するマルチキャストグループを設定する。
【０１９９】
グループ設定部１０６は、マルチキャストグループの各ＯＮＵ２のＯＮＵ−ＩＤとＬＬＩＤの対応関係をグループ管理テーブル１８２ａに登録する。すなわち、グループ管理テーブル１８２ａには、２以上のＯＮＵ２が属するマルチキャストグループと、マルチキャストグループ内の共通のＬＬＩＤの対応関係が登録されている。
【０２００】
グループ検索部１０５は、マルチキャスト要求に示される端末ＩＤに対応する２以上のＯＮＵ−ＩＤを端末管理テーブル１８１から検索し、その２以上のＯＮＵ−ＩＤに対応するマルチキャストグループのＬＬＩＤをグループ管理テーブル１８２ａから検索する。グループ検索部１０５は、例えば、端末ＩＤ「Ｔ１２」に対応するＯＮＵＩＤ「＃１」及び「＃２」を端末管理テーブル１８１から検索した場合、グループ管理テーブル１８２ａからマルチキャストグループ＃１のＬＬＩＤ「＃９１」を検索する。
【０２０１】
また、グループ検索部１０５は、端末ＩＤ「Ｔ１２」をマルチキャストグループ＃１に対応付けてグループ管理テーブル１８２ａに登録する。リンク制御部１０１ａは、端末ＩＤ「Ｔ１２」を宛先とする下りフレームＦｄに、マルチキャストグループ＃１のＬＬＩＤ「＃９１」が付与されるように送信処理部１５０を設定する。
【０２０２】
これにより、送信処理部１５０は、マルチキャストグループ内に共通の移動体端末Ｔｘを宛先とする下りフレームＦｄに、グループ検索部１０５が検索したＬＬＩＤを付与し、下りフレームＦｄを複数のＯＮＵ２にそれぞれ送信する。このため、ＯＬＴ１は、移動体端末Ｔｘが移動するたびに、移動体端末Ｔｘを宛先とする下りフレームＦｄに付与するＬＬＩＤを変更することによりマルチキャストグループを迅速に変更することができる。
【０２０３】
次に、図１９〜図２１を参照してＯＬＴ１の下りフレームＦｄの送信例を述べる。図１９〜図２１には、図６〜図８と同じ位置に移動体端末Ｔ１０，Ｔ１１，Ｔｎ，Ｔ２０，Ｔ２１，Ｔ３０，Ｔ３１が存在する場合がそれぞれ示されている。なお、以下の例において、図６〜図８と重複する内容の説明は省略する。
【０２０４】
図１９は、ユニキャスト送信の一例を示す図である。移動体端末Ｔｎは、ＯＮＵ（＃１）２に対応するセルＣ１内に存在するため、ＯＬＴ１は、リンク管理テーブル１８０ａに登録された下りＬＬＩＤ「＃１」を下りフレームＦｄに付与して、下りフレームＦｄをＯＮＵ（＃１）２にユニキャストで送信する。これにより、移動体端末Ｔｎは、ＯＬＴ１からＯＮＵ（＃１）２経由で下りフレームＦｄを受信する。
【０２０５】
図２０は、マルチキャスト送信の一例を示す図である。移動体端末Ｔｎは、セルＣ２と重なるセル端に移動しているため、ＢＢＵ（＃１）３は、ＳＮ比などに基づきマルチキャスト要求をＯＬＴ１に送信する（一点鎖線参照）。
【０２０６】
グループ検索部１０５は、ＢＢＵ（＃１）３からのマルチキャスト要求に応じ、マルチキャスト要求に示される端末ＩＤ「Ｔｎ」に対応するＯＮＵ（＃１）２及びＯＮＵ（＃２）２のマルチキャストグループ＃１のＬＬＩＤ「＃９１」を、グループ管理テーブル１８２ａから検索する。送信処理部１５０は、移動体端末Ｔｘを宛先とする下りフレームＦｄにＬＬＩＤ「＃９１」を付与し、下りフレームＦｄをＯＮＵ（＃１）２及びＯＮＵ（＃２）２にマルチキャストで送信する。
【０２０７】
ＯＮＵ（＃１）２及びＯＮＵ（＃２）２の各受信処理部２５０には、予めＬＬＩＤ「＃９１」が設定されている。これにより、移動体端末Ｔｎは、ＯＬＴ１からＯＮＵ（＃１）２及びＯＮＵ（＃２）２経由で下りフレームＦｄを受信することができる。
【０２０８】
図２１は、マルチキャスト送信の他の例を示す図である。移動体端末Ｔｎは、セルＣ２，Ｃ３と重なるセル端に移動しているため、ＢＢＵ（＃２）３は、ＳＮ比などに基づきマルチキャスト要求をＯＬＴ１に送信する（一点鎖線参照）。
【０２０９】
グループ検索部１０５は、ＢＢＵ（＃１）３からのマルチキャスト要求に応じ、マルチキャスト要求に示される端末ＩＤ「Ｔｎ」に対応するＯＮＵ（＃１）２、ＯＮＵ（＃２）２、及びＯＮＵ（＃３）２のマルチキャストグループ＃６のＬＬＩＤ「＃９６」を、グループ管理テーブル１８２ａから検索する。送信処理部１５０は、移動体端末Ｔｘを宛先とする下りフレームＦｄにＬＬＩＤ「＃９６」を付与し、下りフレームＦｄをＯＮＵ（＃１）２、ＯＮＵ（＃２）２、及びＯＮＵ（＃３）２にマルチキャストで送信する。
【０２１０】
ＯＮＵ（＃１）２、ＯＮＵ（＃２）２、及びＯＮＵ（＃３）２の各受信処理部２５０には、予めＬＬＩＤ「＃９６」が設定されている。これにより、移動体端末Ｔｎは、ＯＬＴ１からＯＮＵ（＃１）２、ＯＮＵ（＃２）２、及びＯＮＵ（＃３）２経由で下りフレームＦｄを受信することができる。
【０２１１】
図２２は、第２実施例におけるＯＬＴ１とＯＮＵ２の間の通信処理を示すシーケンス図である。本例は、図１９のユニキャスト送信及び図２０のマルチキャスト送信の各例に対応する。なお、ユニキャスト送信の開始に至るまでのシーケンスは、図１２と同様であるため、その説明は省略する。
【０２１２】
ＢＢＵ（＃１）はマルチキャスト要求を上りフレームＦｕに含めてＯＬＴ１に送信する。受信処理部１５１は、所定の識別子に基づき上りフレームＦｕからマルチキャスト要求を検出してグループ検索部１０５に出力する。グループ検索部１０５は、マルチキャスト要求に応じてマルチキャストグループのＬＬＩＤをグループ管理テーブル１８２ａから検索してリンク制御部１０１ａに通知する。
【０２１３】
リンク制御部１０１ａは、移動体端末Ｔｎを宛先とする下りフレームＦｄに付与するＬＬＩＤを、個別のＬＬＩＤ「＃１」からマルチキャスト送信用のＬＬＩＤ「＃９１」に変更するように送信処理部１５０を設定する。送信処理部１５０は、設定が完了すると応答をリンク制御部１０１ａに出力する。その後、ＯＬＴ１は、ＯＮＵ（＃１）２及びＯＮＵ（＃２）２にマルチキャスト送信を開始する。
【０２１４】
このように、第１実施例では、ＯＬＴ１は、各ＯＮＵ２に対し予めマルチキャスト送信用のＬＬＩＤを設定しているため、ＯＮＵ２に対する設定を行うことなく、下りフレームＦｄに付与するＬＬＩＤを変更することによりマルチキャストグループを迅速に変更することができる。
【０２１５】
次に、ＯＬＴ１及びＯＮＵ２の各処理について述べる。
【０２１６】
図２３は、ＯＬＴ１の下りフレームＦｄの送信処理の一例を示すフローチャートである。グループ設定部１０６は、セルＣ１〜Ｃｎの位置関係などに基づきマルチキャストグループを設定する（ステップＳｔ４１）。グループ設定部１０６は、マルチキャストグループをグループ管理テーブル１８２ａに登録する。
【０２１７】
次に、ＮＷ−ＩＦ１４は、コアネットワークＮＷからデータを受信し（ステップＳｔ４２）、下りフレームＦｄを生成する（ステップＳｔ４３）。下りフレームＦｄは送信処理部１５０に入力される。
【０２１８】
次に、送信処理部１５０は下りフレームＦｄの宛先を検出する（ステップＳｔ４４）。次に、送信処理部１５０は、リンク制御部１０１からのＬＬＩＤの設定に基づき、宛先がマルチキャスト送信の対象であるか否かを判定する（ステップＳｔ４５）。
【０２１９】
送信処理部１５０は、宛先がマルチキャスト送信の対象ではない場合（ステップＳｔ４５のＮｏ）、リンク制御部１０１の設定情報から宛先に応じたユニキャスト送信用のＬＬＩＤ（ＯＮＵ２ごとの個別のＬＬＩＤ）を検索する（ステップＳｔ４９）。また、送信処理部１５０は、宛先がマルチキャスト送信の対象である場合（ステップＳｔ４５のＹｅｓ）、リンク制御部１０１の設定情報から宛先に応じたマルチキャスト送信用のＬＬＩＤ（マルチキャストグループのＬＬＩＤ）を検索する（ステップＳｔ４６）。
【０２２０】
次に、送信処理部１５０は、検索したＬＬＩＤを下りフレームＦｄに付与し（ステップＳｔ４７）、各ＯＮＵ２に送信する（ステップＳｔ４８）。その後、再びステップＳｔ４２以降の各処理が実行される。このようにして、ＯＬＴ１は下りフレームＦｄの送信処理を実行する。
【０２２１】
図２４は、ＯＬＴ１の上りフレームＦｕの受信処理の一例を示すフローチャートである。受信処理部１５１は、ＯＮＵ２から上りフレームＦｕを受信する（ステップＳｔ６１）。受信処理部１５１は、所定の識別子に基づき上りフレームＦｕに端末情報が含まれるか否かを判定する（ステップＳｔ６２）。端末情報が含まれる場合（ステップＳｔ６２のＹｅｓ）、端末管理部１０２は、端末情報に基づき端末管理テーブル１８１の端末ＩＤを更新する（ステップＳｔ６３）。
【０２２２】
また、受信処理部１５１は、端末情報が含まれない場合（ステップＳｔ６２のＮｏ）、所定の識別子に基づき上りフレームＦｕにマルチキャスト要求が含まれるか否かを判定する（ステップＳｔ６４）。マルチキャスト要求が含まれる場合（ステップＳｔ６４のＹｅｓ）、グループ検索部１０５は、マルチキャスト要求が示す端末ＩＤに対応するＯＮＵ２（ＯＮＵ−ＩＤ）を端末管理テーブル１８１から検索する（ステップＳｔ６５）。
【０２２３】
グループ検索部１０５は、検索されたＯＮＵ２が複数であるか否かを判定する（ステップＳｔ６６）。グループ検索部１０５は、ＯＮＵ２が複数である場合（ステップＳｔ６６のＹｅｓ）、グループ管理テーブル１８２ａから各ＯＮＵ２に対応するマルチキャストグループのＬＬＩＤを検索する（ステップＳｔ６７）。
【０２２４】
次に、グループ検索部１０５は、グループ管理テーブル１８２ａに、端末ＩＤをマルチキャストグループに対応付けて登録する（ステップＳｔ６８）。次に、リンク制御部１０１ａは、グループ検索部１０５が検索したＬＬＩＤを、マルチキャスト要求に示された端末ＩＤに対応するマルチキャスト送信用ＬＬＩＤとして送信処理部１５０に設定する（ステップＳｔ６９）。また、グループ検索部１０５は、ＯＮＵ２が単数である場合（ステップＳｔ６６のＮｏ）、処理を終了する。
【０２２５】
また、受信処理部１５１は、マルチキャスト要求が含まれない場合（ステップＳｔ６４のＮｏ）、所定の識別子に基づき上りフレームＦｕにマルチキャスト停止要求が含まれるか否かを判定する（ステップＳｔ７０）。リンク制御部１０１ａは、マルチキャスト要求が含まれる場合（ステップＳｔ７０のＹｅｓ）、マルチキャスト停止要求に示される端末ＩＤをグループ管理テーブル１８２ａから削除する（ステップＳｔ７１）。次に、リンク制御部１０１ａは、マルチキャスト停止要求に示された端末ＩＤに対応するＯＮＵ２の個別のＬＬＩＤを、ユニキャスト送信用ＬＬＩＤとして送信処理部１５０に設定する（ステップＳｔ７２）。
【０２２６】
また、受信処理部１５１は、マルチキャスト停止要求が含まれていない場合（ステップＳｔ７０のＮｏ）、上りフレームＦｕを、ＮＷ−ＩＦ１４を介しコアネットワークＮＷに送信する（ステップＳｔ７３）。このようにして、ＯＬＴ１は上りフレームＦｕの受信処理を実行する。
【０２２７】
図２５は、ＯＮＵ２の下りフレームＦｄの受信処理の一例を示すフローチャートである。受信処理部２５０に、ＯＬＴ１から下りフレームＦｄが入力される（ステップＳｔ８１）。次に、受信処理部２５０は、下りフレームＦｄに付与されたＬＬＩＤを検出する（ステップＳｔ８２）。
【０２２８】
受信処理部２５０は、ＬＬＩＤがリンク処理部２０１により設定済みであるか否かを判定する（ステップＳｔ８３）。受信処理部２５０は、ＬＬＩＤが設定済みである場合（ステップＳｔ８３のＹｅｓ）、下りフレームＦｄを送信器２９１に出力する（ステップＳｔ８４）。次に、送信器２９１は下りフレームＦｄをＢＢＵ３に送信する（ステップＳｔ８５）。
【０２２９】
また、受信処理部２５０は、ＬＬＩＤが設定済みではない場合（ステップＳｔ８３のＮｏ）、下りフレームＦｄを廃棄する（ステップＳｔ８６）。このようにして、ＯＮＵ２は下りフレームＦｄの受信処理を実行する。
【０２３０】
（ＴＷＤＭ−ＰＯＮ）
上記のＯＬＴ１はＴＷＤＭ−ＰＯＮに適用することが可能である。ＴＷＤＭ−ＰＯＮは、上り方向及び下り方向に複数の波長の光信号を波長多重して伝送することが可能なＰＯＮである。
【０２３１】
図２６は、ＴＷＤＭ−ＰＯＮのＯＬＴ１の一例を示す構成図である。ＯＬＴ１は、複数の光インターフェースユニット（＃１〜＃ｍ（ｍ：正の整数））１ａと、制御ユニット１ｂと、ＷＤＭカプラ１ｃとを有する。
【０２３２】
各光インターフェースユニット（＃１〜＃ｍ）１ａは、互いに異なる波長λ１〜λｍの光信号を送受信する。より具体的には、各光インターフェースユニット（＃１〜＃ｍ）１ａの電気−光変換部１６０は波長λ１〜λｍの光信号を送信し、各光インターフェースユニット（＃１〜＃ｍ）１ａの光−電気変換部１６１は波長λ１〜λｍの光信号を受信する。
【０２３３】
ＷＤＭカプラ１ｃは、伝送路の光ファイバ９０と各光インターフェースユニット（＃１〜＃ｍ）１ａを接続する。ＷＤＭカプラ１ｃは、光ファイバ９０から入力された波長λ１〜λｍの光信号を光インターフェースユニット（＃１〜＃ｍ）１ａにそれぞれ導く。また、ＷＤＭカプラ１ｃは、光インターフェースユニット（＃１〜＃ｍ）１ａからそれぞれ入力された波長λ１〜λｍの光信号を光ファイバ９０に導く。
【０２３４】
ＴＷＤＭ−ＰＯＮによると、複数の波長λ１〜λｍの光信号がＯＬＴ１と複数のＯＮＵ２の間で波長多重伝送されるため、大容量のデータ伝送を実現することができる。
【０２３５】
上述した実施形態は本発明の好適な実施の例である。但し、これに限定されるものではなく、本発明の要旨を逸脱しない範囲内において種々変形実施可能である。
【０２３６】
なお、以上の説明に関して更に以下の付記を開示する。
（付記１）  光端局装置と、前記光端局装置に接続された伝送路の複数の分岐先にそれぞれ接続される複数の光終端装置とを有し、
前記複数の光終端装置は、それぞれ、
前記伝送路を介し前記光端局装置からフレームを受信する第１受信部と、
１以上の移動体端末と通信する通信装置にフレームを送信する第１送信部と、
前記第１受信部から前記第１送信部にフレームを転送する転送処理部とを有し、
前記光端局装置は、
前記複数の光終端装置に同一のフレームをそれぞれ送信する第２送信部と、
前記通信装置の通信先の前記１以上の移動体端末を示す端末情報に基づき、前記複数の光終端装置の各々において前記１以上の移動体端末を宛先とするフレームが前記第１受信部から前記第１送信部に転送されるように前記転送処理部を設定する設定処理部とを有し、
前記設定処理部は、前記通信装置からの要求に応じ、前記複数の光終端装置のうち、２以上の光終端装置において、共通の前記１以上の移動体端末を宛先とするフレームが前記第１受信部から前記第１送信部に転送されるように前記転送処理部を設定することを特徴とする伝送システム。
（付記２）  前記第２送信部は、前記複数の光終端装置の各々との間の共通の論理回線の識別子をフレームに付与し、該フレームを前記複数の光終端装置にそれぞれ送信し、
前記第１受信部は、前記光端局装置から受信したフレームから前記識別子を削除することを特徴とする付記１に記載の伝送システム。
（付記３）  前記複数の光終端装置は、それぞれ、前記通信装置から受信した前記端末情報を含むフレームを、前記伝送路を介し前記光端局装置に送信し、
前記光端局装置は、前記複数の光終端装置からフレームをそれぞれ受信する第２受信部を有し、
前記設定処理部は、前記第２受信部が受信したフレームに含まれる前記端末情報に基づき前記転送処理部を設定することを特徴とする付記１または２に記載の伝送システム。
（付記４）  前記複数の光終端装置は、それぞれ、前記通信装置からの前記要求を含むフレームを、前記伝送路を介し前記光端局装置に送信し、
前記設定処理部は、前記第２受信部が受信したフレームから前記要求を取得することを特徴とする付記３に記載の伝送システム。
（付記５）  前記光端局装置は、それぞれ、
端末管理テーブルを記憶する記憶部と、
前記端末情報に基づき前記複数の光終端装置の各々と前記１以上の移動体端末の対応関係を前記端末管理テーブルに登録する登録処理部と、
前記端末管理テーブルと、前記要求に示される移動体端末とに基づいて前記２以上の光終端装置を決定する決定部とを有することを特徴とする付記１乃至４の何れかに記載の伝送システム。
（付記６）  光端局装置と、前記光端局装置に接続された伝送路の複数の分岐先にそれぞれ接続される複数の光終端装置とを有し、
前記複数の光終端装置は、それぞれ、
前記光端局装置との間の論理回線の識別子が付与されたフレームを、前記伝送路を介し受信する受信部と、
前記受信部が受信したフレームを、１以上の移動体端末と通信する通信装置に送信する第３送信部とを有し、
前記光端局装置は、
前記複数の光終端装置のうち、フレームの宛先の前記１以上の移動体端末に応じた光終端装置との間の論理回線の識別子をフレームに付与し、該フレームを前記複数の光終端装置にそれぞれ送信する第４送信部と、
前記複数の光終端装置のうち、２以上の光終端装置が属するグループ、及び前記グループ内の共通の論理回線の識別子の対応関係が登録されたグループ管理テーブルを記憶する記憶部と、
前記通信装置からの要求に応じ、前記複数の光終端装置のうち、該要求元の前記通信装置に応じた前記グループに対応する前記共通の論理回線の識別子を前記グループ管理テーブルから検索する検索部とを有し、
前記第４送信部は、前記グループ内に共通の前記１以上の移動体端末を宛先とするフレームに、前記検索部が検索した前記共通の論理回線の識別子を付与し、該フレームを前記複数の光終端装置にそれぞれ送信することを特徴とする伝送システム。
（付記７）  伝送路の複数の分岐先に複数の光終端装置がそれぞれ接続される伝送装置において、
前記複数の光終端装置は、それぞれ、
前記伝送路を介し前記伝送装置からフレームを受信する第１受信部と、
１以上の移動体端末と通信する通信装置にフレームを送信する第１送信部と、
前記第１受信部から前記第１送信部にフレームを転送する転送処理部とを有し、
前記複数の光終端装置に同一のフレームをそれぞれ送信する第２送信部と、
前記通信装置の通信先の前記１以上の移動体端末を示す端末情報に基づき、前記複数の光終端装置の各々において前記１以上の移動体端末を宛先とするフレームが前記第１受信部から前記第１送信部に転送されるように前記転送処理部を設定する設定処理部とを有し、
前記設定処理部は、前記通信装置からの要求に応じ、前記複数の光終端装置のうち、２以上の光終端装置において、共通の前記１以上の移動体端末を宛先とするフレームが前記第１受信部から前記第１送信部に転送されるように前記転送処理部を設定することを特徴とする伝送装置。
（付記８）  前記第２送信部は、前記複数の光終端装置の各々との間の共通の論理回線の識別子をフレームに付与し、該フレームを前記複数の光終端装置にそれぞれ送信し、
前記第１受信部は、前記光端局装置から受信したフレームから前記識別子を削除することを特徴とする付記７に記載の伝送装置。
（付記９）  前記複数の光終端装置からフレームをそれぞれ受信する第２受信部を有し、
前記設定処理部は、前記第２受信部が受信したフレームに含まれる前記端末情報に基づき前記転送処理部を設定することを特徴とする付記７または８に記載の伝送装置。
（付記１０）  前記設定処理部は、前記第２受信部が受信したフレームから前記要求を取得することを特徴とする付記９に記載の伝送装置。
（付記１１）  端末管理テーブルを記憶する記憶部と、
前記端末情報に基づき前記複数の光終端装置の各々と前記１以上の移動体端末の対応関係を前記端末管理テーブルに登録する登録処理部と、
前記端末管理テーブルと、前記要求に示される移動体端末とに基づいて前記２以上の光終端装置を決定する決定部とを有することを特徴とする付記７乃至１０の何れかに記載の伝送装置。
（付記１２）  伝送路の複数の分岐先に複数の光終端装置がそれぞれ接続される伝送装置において、
前記複数の光終端装置は、それぞれ、前記伝送装置との間の論理回線の識別子が付与されたフレームを、前記伝送路を介し受信して、１以上の移動体端末と通信する通信装置に送信し、
前記複数の光終端装置のうち、フレームの宛先の前記１以上の移動体端末に応じた光終端装置との間の論理回線の識別子をフレームに付与し、該フレームを前記複数の光終端装置にそれぞれ送信する第４送信部と、
前記複数の光終端装置のうち、２以上の光終端装置が属するグループ、及び前記グループ内の共通の論理回線の識別子の対応関係が登録されたグループ管理テーブルを記憶する記憶部と、
前記通信装置からの要求に応じ、前記複数の光終端装置のうち、該要求元の前記通信装置に応じた前記グループに対応する前記共通の論理回線の識別子を前記グループ管理テーブルから検索する検索部とを有し、
前記第４送信部は、前記グループ内に共通の前記１以上の移動体端末を宛先とするフレームに、前記検索部が検索した前記共通の論理回線の識別子を付与し、該フレームを前記複数の光終端装置にそれぞれ送信することを特徴とする伝送装置。
（付記１３）  光端局装置と、前記光端局装置の伝送路の複数の分岐先にそれぞれ接続される複数の光終端装置との間でフレームを伝送する伝送方法において、
前記複数の光終端装置は、それぞれ、
前記伝送路を介し前記光端局装置からフレームを受信する受信部と、
１以上の移動体端末と通信する通信装置にフレームを送信する第１送信部と、
前記受信部から前記第１送信部にフレームを転送する転送処理部とを有し、
前記光端局装置は、
前記複数の光終端装置に同一のフレームをそれぞれ送信し、
前記通信装置の通信先の前記１以上の移動体端末を示す端末情報に基づき、前記複数の光終端装置の各々において前記１以上の移動体端末を宛先とするフレームが前記受信部から前記第１送信部に転送されるように前記転送処理部を設定し、
前記通信装置からの要求に応じ、前記複数の光終端装置のうち、２以上の光終端装置において、共通の前記１以上の移動体端末を宛先とするフレームが前記受信部から前記第１送信部に転送されるように前記転送処理部を設定することを特徴とする伝送方法。
（付記１４）  前記光端局装置は、前記複数の光終端装置の各々との間の共通の論理回線の識別子をフレームに付与し、該フレームを前記複数の光終端装置にそれぞれ送信し、
前記複数の光終端装置は、それぞれ、前記光端局装置から受信したフレームから前記識別子を削除することを特徴とする付記１３に記載の伝送方法。
（付記１５）  前記複数の光終端装置は、それぞれ、前記通信装置から受信した前記端末情報を含むフレームを、前記伝送路を介し前記光端局装置に送信し、
前記光端局装置は、
前記複数の光終端装置からフレームをそれぞれ受信し、
前記受信したフレームに含まれる前記端末情報に基づき前記転送処理部を設定することを特徴とする付記１３または１４に記載の伝送方法。
（付記１６）  前記複数の光終端装置は、それぞれ、前記通信装置からの前記要求を含むフレームを、前記伝送路を介し前記光端局装置に送信し、
前記光端局装置は、前記受信したフレームから前記要求を取得することを特徴とする付記１５に記載の伝送方法。
（付記１７）  前記光端局装置は、それぞれ、
前記端末情報に基づき前記複数の光終端装置の各々と前記１以上の移動体端末の対応関係を端末管理テーブルに登録し、
前記端末管理テーブルと、前記要求に示される移動体端末とに基づいて前記２以上の光終端装置を決定することを特徴とする付記１３乃至１６の何れかに記載の伝送方法。
（付記１８）  光端局装置と、前記光端局装置の伝送路の複数の分岐先にそれぞれ接続される複数の光終端装置との間でフレームを伝送する伝送方法において、
前記複数の光終端装置は、それぞれ、前記光端局装置との間の論理回線の識別子が付与されたフレームを、前記伝送路を介し受信して、１以上の移動体端末と通信する通信装置に送信し、
前記光端局装置は、
前記複数の光終端装置のうち、フレームの宛先の前記１以上の移動体端末に応じた光終端装置との間の論理回線の識別子をフレームに付与し、該フレームを前記複数の光終端装置にそれぞれ送信し、
前記通信装置からの要求に応じ、前記複数の光終端装置のうち、２以上の光終端装置が属するグループ、及び前記グループ内の共通の論理回線の識別子の対応関係が登録されたグループ管理テーブルから、前記複数の光終端装置のうち、該要求元の前記通信装置に応じた前記グループに対応する前記共通の論理回線の識別子を検索し、
前記グループ内に共通の前記１以上の移動体端末を宛先とするフレームに、前記検索した前記共通の論理回線の識別子を付与し、
該フレームを前記複数の光終端装置にそれぞれ送信することを特徴とする伝送方法。
【符号の説明】
【０２３７】
１       ＯＬＴ
２       ＯＮＵ
３       ＢＢＵ
４       ＲＲＨ
１０，２０      ＣＰＵ
１８，２４      ＳＲＡＭ
９０       光ファイバ
１０１，１０１ａ     リンク制御部
１０２      端末管理部
１０３      転送設定部
１０４      グループ管理部
１０５      グループ検索部
１５１，２５０     受信処理部
１５０，２５１     送信処理部
１８１      端末管理テーブル
１８２，１８２ａ     グループ管理テーブル
２８１      転送処理部
２９１      送信器
Ｆｕ       上りフレーム
Ｆｄ       下りフレーム
Ｔｘ       移動体端末
【図１】
2019029953.tif 000003
【図２】
2019029953.tif 000004
【図３】
2019029953.tif 000005
【図４】
2019029953.tif 000006
【図５】
2019029953.tif 000007
【図６】
2019029953.tif 000008
【図７】
2019029953.tif 000009
【図８】
2019029953.tif 000010
【図９】
2019029953.tif 000011
【図１０】
2019029953.tif 000012
【図１１】
2019029953.tif 000013
【図１２】
2019029953.tif 000014
【図１３】
2019029953.tif 000015
【図１４】
2019029953.tif 000016
【図１５】
2019029953.tif 000017
【図１６】
2019029953.tif 000018
【図１７】
2019029953.tif 000019
【図１８】
2019029953.tif 000020
【図１９】
2019029953.tif 000021
【図２０】
2019029953.tif 000022
【図２１】
2019029953.tif 000023
【図２２】
2019029953.tif 000024
【図２３】
2019029953.tif 000025
【図２４】
2019029953.tif 000026
【図２５】
2019029953.tif 000027
【図２６】
2019029953.tif 000028